(57)【特許請求の範囲】
【請求項１】
通話時、入力された音声信号を回線を介して局側と送受信する電話装置において、
通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段を備えたこと、
を特徴とする電話装置。
【請求項２】
音素情報登録モードのオン・オフ操作を行う操作手段を備えるとともに、
音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報外部記憶手段に記憶させるようにしたこと、
を特徴とする請求項１記載の電話装置。
【請求項３】
話者識別情報を記憶した話者識別情報記憶手段を備え、
音声分析・登録手段は、音素別の特徴パラメータに対応付けて話者識別情報を音素情報外部記憶手段に記憶させるようにしたこと、
を特徴とする請求項１記載の電話装置。
【請求項４】
通話時、入力された音声信号を回線を介して局側と送受信する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを音素情報記憶手段から読み出し電話装置に接続された音素情報外部記憶手段に書き込む転送手段と、
を備えたことを特徴とする電話装置。
【請求項５】
音素情報登録モードのオン・オフ操作を行う操作手段を備えるとともに、
音声分析・登録手段は、音素情報登録モードがオンの場合に、通話中に当該電話装置に入力された音声信号に基づき、音素の切り出し、音素の特徴パラメータの抽出と音素の種類の判別をし、音素別の特徴パラメータを音素情報記憶手段に記憶させるようにしたこと、
を特徴とする請求項４記載の電話装置。
【請求項６】
話者識別情報を記憶した話者識別情報記憶手段を備え、
音声分析・登録手段は、音素別の特徴パラメータに対応付けて話者識別情報も音素情報記憶手段に記憶させるようにし、
転送手段は音素情報の転送要求に基づき、音素情報記憶手段から音素別の特徴パラメータと対応する話者識別情報を読み出し音素情報外部記憶手段に書き込むようにしたこと、
を特徴とする請求項４記載の電話装置。
【請求項７】
話者識別情報を記憶した話者識別情報記憶手段を備え、
転送手段は音素情報の転送要求に基づき、音素情報記憶手段に記憶された音素別の特徴パラメータと話者識別情報記憶手段に記憶された話者識別情報を読み出し対応付けて音素情報外部記憶手段に書き込むようにしたこと、
を特徴とする請求項４記載の電話装置。
【請求項８】
通話時、音声信号を回線を介して局側と送受信し、メール受信時には受信メールを受信メール情報記憶手段に記憶する電話装置において、
通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段と、
所望受信メールの音声読み上げが指示されると、受信メール情報記憶手段の中の所望受信メールを対象に、電話装置に接続された音素情報外部記憶手段中の音素別の特徴パラメータを用いて音声合成により受信メール本文を表す音声出力を行う音声合成手段と、
を備えたことを特徴とする電話装置。
【請求項９】
通話時、音声信号を回線を介して局側と送受信し、メール受信時には受信メールを受信メール情報記憶手段に記憶する電話装置において、
通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段と、
音素別の特徴パラメータを記憶する音素情報記憶手段と、
音素情報の転送要求に従い、電話装置に接続された音素情報外部記憶手段から音素別の特徴パラメータを読み出し音素情報記憶手段に記憶させる転送手段と、
所望受信メールの音声読み上げが指示されると、受信メール情報記憶手段の中の所望受信メールを対象に、音素情報記憶手段中の音素別の特徴パラメータを用いて音声合成により受信メール本文を表す音声出力を行う音声合成手段と、
を備えたことを特徴とする電話装置。
【請求項１０】
通話時、音声信号を回線を介して局側と送受信し、メール受信時には送信元識別情報と本文を含む受信メール情報を受信メール情報記憶手段に記憶する電話装置において、
話者識別情報を記憶した話者識別情報記憶手段と、
通話中に当該電話装置に入力された音声信号に基づき、音素の切り出し、音素の特徴パラメータの抽出と音素の種類の判別をし、音素別の特徴パラメータを話者識別情報記憶手段の話者識別情報と対応付けて電話装置に接続された音素情報外部記憶手段に記憶させる音声分析・登録手段と、
所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行う音声合成手段と、
を備えたことを特徴とする電話装置。
【請求項１１】
通話時、音声信号を回線を介して局側と送受信し、メール受信時には送信元識別情報と本文を含む受信メール情報を受信メール情報記憶手段に記憶する電話装置において、
話者識別情報を記憶した話者識別情報記憶手段と、
通話中に当該電話装置に入力された音声信号に基づき、音素の切り出し、音素の特徴パラメータの抽出と音素の種類の判別をし、音素別の特徴パラメータを話者識別情報記憶手段の話者識別情報と対応付けて電話装置に接続された音素情報外部記憶手段に記憶させる音声分析・登録手段と、
音素別の特徴パラメータと対応する話者識別情報を記憶する音素情報記憶手段と、
音素情報の転送要求に従い、電話装置に接続された音素情報外部記憶手段から音素別の特徴パラメータと対応する話者識別情報を読み出し、音素情報記憶手段に記憶させる転送手段と、
所望受信メールの音声読み上げが指示されると、受信メール情報記憶手段の中の所望受信メールを対象に、音素情報記憶手段の内、話者識別情報が所望受信メールの送信元識別情報と一致する音素別の特徴パラメータを用いて音声合成により本文を表す音声出力を行う音声合成手段と、
を備えたことを特徴とする電話装置。
【請求項１２】
通話時、音声信号を回線を介して局側と送受信し、メール受信時には受信メール情報を受信メール情報記憶手段に記憶する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段から音素別の特徴パラメータを読み出し電話装置に接続された音素情報外部記憶手段に書き込む転送手段と、
所望受信メールの音声読み上げが指示されると、受信メール情報記憶手段の中の所望受信メールを対象に、電話装置に接続された音素情報外部記憶手段の音素別の特徴パラメータを用いて音声合成により本文を表す音声出力を行う音声合成手段と、
を備えたことを特徴とする電話装置。
【請求項１３】
通話時、音声信号を回線を介して局側と送受信し、メール受信時には受信メール情報を受信メール情報記憶手段に記憶する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の第１転送要求に基づき、音素情報記憶手段に記憶された音素別の特徴パラメータを読み出し電話装置に接続された音素情報外部記憶手段に書き込んだり、音素情報の第２転送要求に基づき、電話装置に接続された音素情報外部記憶手段から音素別の特徴パラメータを読み出し音素情報記憶手段に書き込む転送手段と、
所望受信メールの音声読み上げが指示されると、受信メール情報記憶手段の中の所望受信メールを対象に、音素情報記憶手段の音素別の特徴パラメータを用いて音声合成により本文を表す音声出力を行う音声合成手段と、
を備えたことを特徴とする電話装置。
【請求項１４】
通話時、音声信号を回線を介して局側と送受信し、メール受信時には本文と送信元識別情報を含む受信メール情報を受信メール情報記憶手段に記憶する電話装置において、
話者識別情報を記憶した話者識別情報記憶手段と、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを話者識別情報記憶手段に記憶された話者識別情報と対応付けて音素情報記憶手段に記憶させる音声分析・登録手段と、
音素情報の転送要求に基づき、音素情報記憶手段に記憶された音素別の特徴パラメータと対応する話者識別情報を読み出し電話装置に接続された音素情報外部記憶手段に書き込む転送手段と、
所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行う音声合成手段と、
を備えたことを特徴とする電話装置。
【請求項１５】
通話時、音声信号を回線を介して局側と送受信し、メール受信時には本文と送信元識別情報を含む受信メール情報を受信メール情報記憶手段に記憶する電話装置において、
話者識別情報を記憶した話者識別情報記憶手段と、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータと話者識別情報記憶手段に記憶された話者識別情報を読み出し対応付けて電話装置に接続された音素情報外部記憶手段に書き込む転送手段と、
所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行う音声合成手段と、
を備えたことを特徴とする電話装置。
【請求項１６】
通話時、音声信号を回線を介して局側と送受信し、メール受信時には本文と送信元識別情報を含む受信メール情報を受信メール情報記憶手段に記憶する電話装置において、
話者識別情報を記憶した話者識別情報記憶手段と、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを話者識別情報記憶手段に記憶された話者識別情報と対応付けて音素情報記憶手段に記憶させる音声分析・登録手段と、
音素情報の第１転送要求に基づき、音素情報記憶手段に記憶された音素別の特徴パラメータと話者識別情報記憶手段に記憶された話者識別情報を読み出し対応付けて電話装置に接続された音素情報外部記憶手段に書き込み、音素情報の第２転送要求に基づき、電話装置に接続された音素情報外部記憶手段に記憶された音素別の特徴パラメータと対応する話者識別情報を読み出し音素情報記憶手段に書き込む転送手段と、
所望受信メールの音声読み上げが指示されると、受信メール情報記憶手段の中の所望受信メールを対象に、音素情報記憶手段の内、話者識別情報が所望受信メールの送信元識別情報と一致する音素別の特徴パラメータを用いて音声合成により本文を表す音声出力を行う音声合成手段と、
を備えたことを特徴とする電話装置。
【請求項１７】
通話時、音声信号を回線を介して局側と送受信し、メール受信時には本文と送信元識別情報を含む受信メール情報を受信メール情報記憶手段に記憶する電話装置において、
話者識別情報を記憶した話者識別情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の第１転送要求に基づき、音素情報記憶手段に記憶された音素別の特徴パラメータと話者識別情報記憶手段に記憶された話者識別情報を読み出し、対応付けて電話装置に接続された音素情報外部記憶手段に書き込み、音素情報の第２転送要求に基づき、電話装置に接続された音素情報外部記憶手段に記憶された音素別の特徴パラメータと対応する話者識別情報を読み出し、音素情報記憶手段に書き込む転送手段と、
所望受信メールの音声読み上げが指示されると、受信メール情報記憶手段の中の所望受信メールを対象に音素情報記憶手段の内、話者識別情報が所望受信メールの送信元識別情報と一致する音素別の特徴パラメータを用いて音声合成により受信メール本文を表す音声出力を行う音声合成手段と、
を備えたことを特徴とする電話装置。
【請求項１８】
通話時、音声信号を回線を介して局側と送受信する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
１または複数の文字情報を記憶した文字情報記憶手段と、
所望文字情報の音声読み上げが指示されると、文字情報記憶手段の中の所望文字情報を対象に、音素情報記憶手段の音素別の特徴パラメータを用いて音声合成により文字文を表す音声出力を行う音声合成手段と、
を備えたことを特徴とする電話装置。
【請求項１９】
通話時、音声信号を回線を介して局側と送受信する電話装置において、
通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段と、
１または複数の文字情報を記憶した文字情報記憶手段と、
所望文字情報の音声読み上げが指示されると、文字情報記憶手段の中の所望文字情報を対象に、電話装置に接続された音素情報外部記憶手段中の音素別の特徴パラメータを用いて音声合成により文字情報を表す音声出力を行う音声合成手段と、
を備えたことを特徴とする電話装置。
【請求項２０】
通話時、音声信号を回線を介して局側と送受信する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し、電話装置に接続された音素情報外部記憶手段に書き込む転送手段と、
１または複数の文字情報を記憶した文字情報記憶手段と、
所望文字情報の音声読み上げが指示されると、文字情報記憶手段の中の所望文字情報を対象に、電話装置に接続された音素情報外部記憶手段中の音素別の特徴パラメータを用いて音声合成により文字情報を表す音声出力を行う音声合成手段と、
を備えたことを特徴とする電話装置。
【請求項２１】
通話時、音声信号を回線を介して局側と送受信する電話装置において、
音素別の特徴パラメータを記憶する音素情報記憶手段と、
通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の第１転送要求に基づき、音素情報記憶手段に記憶された音素別の特徴パラメータを読み出し、電話装置に接続された音素情報外部記憶手段に書き込み、音素情報の第２転送要求に基づき、電話装置に接続された音素情報外部記憶手段に記憶された音素別の特徴パラメータを読み出し、音素情報記憶手段に書き込む転送手段と、
１または複数の文字情報を記憶した文字情報記憶手段と、
所望文字情報の音声読み上げが指示されると、文字情報記憶手段の中の所望文字情報を対象に、音素情報記憶手段中の音素別の特徴パラメータを用いて音声合成により文字情報を表す音声出力を行う音声合成手段と、
を備えたことを特徴とする電話装置。
【請求項２２】
通話時、音声信号を回線を介して局側と送受信する電話装置と、文字情報記憶手段に記憶された文字情報を、所定の記憶手段に記憶された音素別の特徴パラメータを用いて音声合成し、音声出力する音声合成装置と、を備えた音声合成システムにおいて、
電話装置は、当該電話装置に入力された音声信号に基づき、音素切り出し、音素の特徴パラメータの抽出と音素の種類の判別をし、音素別の特徴パラメータを電話装置に接続された音素情報外部記憶手段に記憶させる音声分析・登録手段を備え、
音声合成装置は、音声合成装置に接続された音素情報外部記憶手段の音素別の特徴パラメータを用いて、文字情報記憶手段に記憶された文字情報を音声合成して音声出力するようにしたこと、
を特徴とする音声合成システム。
【請求項２３】
通話時、音声信号を回線を介して局側と送受信する電話装置と、文字情報記憶手段に記憶された文字情報を、所定の記憶手段に記憶された音素別の特徴パラメータを用いて音声合成し、音声出力可能な音声合成装置とを備えた音声合成システムにおいて、
電話装置は、音素別の特徴パラメータを記憶する音素情報記憶手段と、
当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し電話装置に接続された音素情報外部記憶手段に書き込む転送手段と、
を備え、
音声合成装置は、音声合成装置に接続された音素情報外部記憶手段の音素別の特徴パラメータを用いて、文字情報記憶手段に記憶された文字情報を音声合成して音声出力するようにしたこと、
を特徴とする音声合成システム。
【請求項２４】
通話時、音声信号を回線を介して局側と送受信する電話装置と、文字情報記憶手段に記憶された文字情報を、音素情報記憶手段に記憶された音素別の特徴パラメータを用いて音声合成し、音声出力する音声合成装置と、を備えた音声合成システムにおいて、
電話装置は、当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段を備え、
音声合成装置は、転送要求に基づき音声合成装置に接続された音素情報外部記憶手段から音素別の特徴パラメータを読み出し音素情報記憶手段に記憶させる転送手段を備えたこと、
を特徴とする音声合成システム。
【請求項２５】
通話時、音声信号を回線を介して局側と送受信する電話装置と、文字情報記憶手段に記憶された文字情報を、音素情報記憶手段に記憶された音素別の特徴パラメータを用いて音声合成し、音声出力可能な音声合成装置とを備えた音声合成システムにおいて、
電話装置は、音素別の特徴パラメータを記憶する音素情報記憶手段と、
当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し電話装置に接続された音素情報外部記憶手段に書き込む転送手段と、
を備え、
音声合成装置は、音素情報の転送要求に基づき音声合成装置に接続された音素情報外部記憶手段から音素別の特徴パラメータを読み出し音素情報記憶手段に記憶させる転送手段を備えたこと、
を特徴とする音声合成システム。
【請求項２６】
無線基地局と移動電話装置からの電波を受信し、当該移動電話装置で通話中の音声信号を取り出す受信手段と、
受信手段で取り出された音声信号に基づき、音素の切り出し、音素の特徴パラメータの抽出と音素の種類の判別をし、音素別の特徴パラメータを音素情報外部記憶手段に記憶させる音声分析・登録手段と、
を備えたことを特徴とする音素情報登録装置。
【請求項２７】
音素情報登録モードのオン・オフ操作を行う操作手段を備えるとともに、
音声分析・登録手段は、音素情報登録モードがオン時に、音素別の特徴パラメータを音素情報外部記憶手段に記憶させるようにしたこと、
を特徴とする請求項２６記載の音素情報登録装置。
【請求項２８】
話者識別情報を記憶した話者識別情報記憶手段を備え、
音声分析・登録手段は、音素別の特徴パラメータに対応付けて話者識別情報を音素情報外部記憶手段に記憶させるようにしたこと、
を特徴とする請求項２６記載の音素情報登録装置。
【請求項２９】
無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段の音素別の特徴パラメータを読み出し音素情報外部記憶手段に書き込む転送手段と、
を備えたことを特徴とする音素情報登録装置。
【請求項３０】
音素情報登録モードのオン・オフ操作を行う操作手段を備えるとともに、
音声分析・登録手段は、音素情報登録モードがオン時に、音素別の特徴パラメータを音素情報記憶手段に記憶させるようにしたこと、
を特徴とする請求項２９記載の音素情報登録装置。
【請求項３１】
話者識別情報を記憶した話者識別情報記憶手段を備え、
音声分析・登録手段は、音素別の特徴パラメータに対応付けて話者識別情報を音素情報記憶手段に記憶させるようにし、
転送手段は音素情報の転送要求に基づき、音素情報記憶手段に記憶された音素別の特徴パラメータと対応する話者識別情報を読み出し音素情報外部記憶手段に書き込むようにしたこと、
を特徴とする請求項２９記載の音素情報登録装置。
【請求項３２】
話者識別情報を記憶した話者識別情報記憶手段を備え、
転送手段は音素情報の転送要求に基づき、音素情報記憶手段に記憶された音素別の特徴パラメータと話者識別情報記憶手段に記憶された話者識別情報を読み出し対応付けて音素情報外部記憶手段に書き込むようにしたこと、
を特徴とする請求項２９記載の音素情報登録装置。
【請求項３３】
無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
１または複数の文字情報を記憶した文字情報記憶手段と、
所望文字情報の音声読み上げが指示されると、文字情報記憶手段の中の所望文字情報を対象に、音素情報記憶手段の音素別の特徴パラメータを用いて音声合成により文字文を表す音声出力を行う音声合成手段と、
を備えたことを特徴とする音素情報登録・音声合成装置。
【請求項３４】
無線基地局と移動電話装置からの電波を受信し、当該移動電話装置で通話中の音声信号を取り出す受信手段と、
受信手段で取り出された音声信号に基づき、音素の切り出し、音素の特徴パラメータの抽出と音素の種類の判別をし、音素別の特徴パラメータを音素情報外部記憶手段に記憶させる音声分析・登録手段と、
１または複数の文字情報を記憶した文字情報記憶手段と、
所望文字情報の音声読み上げが指示されると、文字情報記憶手段の中の所望文字情報を対象に、音素情報外部記憶手段中の音素別の特徴パラメータを用いて音声合成により文字情報を表す音声出力を行う音声合成手段と、
を備えたことを特徴とする音素情報登録・音声合成装置。
【請求項３５】
無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し、音素情報外部記憶手段に書き込む転送手段と、
１または複数の文字情報を記憶した文字情報記憶手段と、
所望文字情報の音声読み上げが指示されると、文字情報記憶手段の中の所望文字情報を対象に、音素情報外部記憶手段中の音素別の特徴パラメータを用いて音声合成により文字情報を表す音声出力を行う音声合成手段と、
を備えたことを特徴とする音素情報登録・音声合成装置。
【請求項３６】
無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
音素情報の第１転送要求に基づき、音素情報記憶手段に記憶された音素別の特徴パラメータを読み出し、音素情報外部記憶手段に書き込み、音素情報の第２転送要求に基づき、音素情報外部記憶手段に記憶された音素別の特徴パラメータを読み出し、音素情報記憶手段に書き込む転送手段と、
１または複数の文字情報を記憶した文字情報記憶手段と、
所望文字情報の音声読み上げが指示されると、文字情報記憶手段の中の所望文字情報を対象に、音素情報記憶手段中の音素別の特徴パラメータを用いて音声合成により文字情報を表す音声出力を行う音声合成手段と、
を備えたことを特徴とする音素情報登録・音声合成装置。
【請求項３７】
文字情報記憶手段に記憶された文字情報を、所定の記憶手段に記憶された音素別の特徴パラメータを用いて音声合成し、音声出力する音声合成装置と、音素別の特徴パラメータの登録を行う音素情報登録装置とを備えた音声合成システムにおいて、
音素情報登録装置は、無線基地局と移動電話装置からの電波を受信し、当該移動電話装置で通話中の音声信号を取り出す受信手段と、
受信手段で取り出された音声信号に基づき、音素の切り出し、音素の特徴パラメータの抽出と音素の種類の判別をし、音素別の特徴パラメータを音素情報登録装置に接続された音素情報外部記憶手段に記憶させる音声分析・登録手段と、
を備え、
音声合成装置は、音声合成装置に接続された音素情報外部記憶手段の音素別の特徴パラメータを用いて、文字情報記憶手段に記憶された文字情報を音声合成して音声出力するようにしたこと、
を特徴とする音声合成システム。
【請求項３８】
文字情報記憶手段に記憶された文字情報を、所定の記憶手段に記憶された音素別の特徴パラメータを用いて音声合成し、音声出力する音声合成装置と、音素別の特徴パラメータの登録を行う音素情報登録装置とを備えた音声合成システムにおいて、
音素情報登録装置は、無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し音素情報登録装置に接続された音素情報外部記憶手段に書き込む転送手段と、
を備え、
音声合成装置は、音声合成装置に接続された音素情報外部記憶手段の音素別の特徴パラメータを用いて、文字情報記憶手段に記憶された文字情報を音声合成して音声出力するようにしたこと、
を特徴とする音声合成システム。
【請求項３９】
文字情報記憶手段に記憶された文字情報を、所定の記憶手段に記憶された音素別の特徴パラメータを用いて音声合成し、音声出力する音声合成装置と、音素別の特徴パラメータの登録を行う音素情報登録装置とを備えた音声合成システムにおいて、
音素情報登録装置は、無線基地局と移動電話装置からの電波を受信し、当該移動電話装置で通話中の音声信号を取り出す受信手段と、
受信手段で取り出された音声信号に基づき、音素の切り出し、音素の特徴パラメータの抽出と音素の種類の判別をし、音素別の特徴パラメータを音素情報登録装置に接続された音素情報外部記憶手段に記憶させる音声分析・登録手段と、
を備え、
音声合成装置は、転送要求に基づき音声合成装置に接続された音素情報外部記憶手段から音素別の特徴パラメータを読み出し音素情報記憶手段に記憶させる転送手段を備えたこと、
を特徴とする音声合成システム。
【請求項４０】
文字情報記憶手段に記憶された文字情報を、音素情報記憶手段に記憶された音素別の特徴パラメータを用いて音声合成し、音声出力する音声合成装置と、音素別の特徴パラメータの登録を行う音素情報登録装置とを備えた音声合成システムにおいて、
音素情報登録装置は、無線基地局と移動電話装置からの電波を受信し、当該移動電話装置で通話中の音声信号を取り出す受信手段と、
音素別の特徴パラメータを記憶する音素情報記憶手段と、
受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、
音素情報の転送要求に基づき、音素情報記憶手段に記憶された音素別の特徴パラメータを読み出し音素情報登録装置に接続された音素情報外部記憶手段に書き込む転送手段と、
を備え、
音声合成装置は、音素情報の転送要求に基づき音声合成装置に接続された音素情報外部記憶手段から音素別の特徴パラメータを読み出し音素情報記憶手段に記憶させる転送手段を備えたこと、
を特徴とする音声合成システム。
【発明の詳細な説明】
【０００１】
【発明の属する技術分野】
本発明は電話装置、音声合成システム、音素情報登録装置に係り、とくに、電話での通話中に送話者の音素別の特徴パラメータの登録を可能にした電話装置、音声合成システム、音素情報登録装置に関する。
【０００２】
【従来の技術】
予め、自分の声をＰＡＲＣＯＲ方式等の所定の方式で分析した音素別の特徴パラメータを登録しておき、該音素別の特徴パラメータを用いて音声合成により、所望の文字列を音声で読み上げさせることができるようにした音声合成システムがある。かかる音声合成システムは種々の場面で利用でき、例えば、自分の不在時に自分の声によりインタフォーンで「ただいま留守にしています」の如く訪問客に応答させたり、障害で発話が困難になった場合に、文字入力した会話文を自分の声で読み上げさせて人と会話をしたり、遠く離れた人に送ったメッセージ文データを、送り主の声で音声合成出力させたりすることができる。また、本の文章データを自分の声で読み上げさせることもできる。
【０００３】
【発明が解決しようとする課題】
ところが、自分の声について音素別の特徴パラメータの登録をするには、パーソナルコンピュータなどによる音声認識装置を用い、マイクに向かって長時間にわたり種々の言葉の発話をしながら決められた手順で登録作業をしなければならず、作業が非常に面倒であった。
本発明は上記した従来技術の問題に鑑み、自分の声の音素別の特徴パラメータの登録を簡単に行える電話装置、音声合成システム、音素情報登録装置、音素情報登録・音声合成装置を提供することを、その目的とする。
【０００４】
【課題を解決するための手段】
請求項１に係る本発明の電話装置は、通話時、音声信号を回線を介して局側と送受信する電話装置において、通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段を備えたこと、を特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報外部記憶手段に記憶させるようにしても良い。
請求項１の変形として、話者識別情報を記憶した話者識別情報記憶手段を装備し、音声分析・登録手段は、音素別の特徴パラメータに対応付けて話者識別情報を音素情報外部記憶手段に記憶させるようにしても良い。
【０００５】
請求項４に係る本発明の他の電話装置では、音素別の特徴パラメータを記憶する音素情報記憶手段と、通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、音素情報の転送要求に基づき、音素情報記憶手段に記憶された音素別の特徴パラメータを音素情報記憶手段から読み出し電話装置に接続された音素情報外部記憶手段に書き込む転送手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報記憶手段に記憶させるようにしても良い。
請求項４の変形として、話者識別情報を記憶した話者識別情報記憶手段を装備し、音声分析・登録手段は、音素別の特徴パラメータに対応付けて話者識別情報を音素情報記憶手段に記憶させるようにし、転送手段は音素情報の転送要求に基づき、音素情報記憶手段から音素別の特徴パラメータと対応する話者識別情報を読み出し音素情報外部記憶手段に書き込むようにしたり、或いは、話者識別情報を記憶した話者識別情報記憶手段を装備し、転送手段は音素情報の転送要求に基づき、音素情報記憶手段に記憶された音素別の特徴パラメータと話者識別情報記憶手段に記憶された話者識別情報を読み出し対応付けて音素情報外部記憶手段に書き込むようにして良い。
【０００６】
請求項８に係る本発明の更に他の電話装置では、通話時、音声信号を回線を介して局側と送受信し、メール受信時には受信メールを受信メール情報記憶手段に記憶する電話装置において、通話中に当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段と、所望受信メールの音声読み上げが指示されると、受信メール情報記憶手段の中の所望受信メールを対象に、電話装置に接続された音素情報外部記憶手段中の音素別の特徴パラメータを用いて音声合成により受信メール本文を表す音声出力を行う音声合成手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報外部記憶手段に記憶させるようにしても良い。
請求項８の変形として、音素情報外部記憶手段中の音素別の特徴パラメータを用いて音声合成する代わりに、音素別の特徴パラメータを記憶する音素情報記憶手段と、転送要求に従い、電話装置に接続された音素情報外部記憶手段から音素別の特徴パラメータを読み出し音素情報記憶手段に記憶させる転送手段を装備し、音声合成手段は、所望受信メールの音声読み上げが指示されると、受信メール情報記憶手段の中の所望受信メールを対象に、音素情報記憶手段中の音素別の特徴パラメータを用いて音声合成により受信メール本文を表す音声出力を行うようにしても良い。
【０００７】
請求項１０に係る本発明の電話装置では、話者識別情報を記憶した話者識別情報記憶手段と、通話中に当該電話装置に入力された音声信号に基づき、音素の切り出し、音素の特徴パラメータの抽出と音素の種類の判別をし、音素別の特徴パラメータを話者識別情報記憶手段の話者識別情報と対応付けて電話装置に接続された音素情報外部記憶手段に記憶させる音声分析・登録手段と、所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行う音声合成手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを話者識別情報記憶手段の話者識別情報と対応付けて音素情報外部記憶手段に記憶させるようにしても良い。
請求項１０の変形として、音素情報外部記憶手段中の音素別の特徴パラメータを用いて音声合成する代わりに、音素別の特徴パラメータを記憶する音素情報記憶手段と、転送要求に従い、電話装置に接続された音素情報外部記憶手段から音素別の特徴パラメータと対応する話者識別情報を読み出し音素情報記憶手段に記憶させる転送手段を装備し、音声合成手段は、所望受信メールの音声読み上げが指示されると、受信メール情報記憶手段の中の所望受信メールを対象に、音素情報記憶手段の内、話者識別情報が所望受信メールの送信元識別情報と一致する音素別の特徴パラメータを用いて音声合成により受信メール本文を表す音声出力を行うようにしても良い。
【０００８】
請求項１２に係る本発明の電話装置では、音素別の特徴パラメータを記憶する音素情報記憶手段と、通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、音素情報の転送要求に基づき、音素情報記憶手段から音素別の特徴パラメータを読み出し電話装置に接続された音素情報外部記憶手段に書き込む転送手段と、所望受信メールの音声読み上げが指示されると、受信メール情報記憶手段の中の所望受信メールを対象に、電話装置に接続された音素情報外部記憶手段の音素別の特徴パラメータを用いて音声合成により本文を表す音声出力を行う音声合成手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報記憶手段に記憶させるようにしても良い。
音素情報外部記憶手段中の音素別の特徴パラメータを用いて音声合成する代わりに、音素情報の第１転送要求に基づき、音素情報記憶手段に記憶された音素別の特徴パラメータを読み出し電話装置に接続された音素情報外部記憶手段に書き込んだり、音素情報の第２転送要求に基づき、電話装置に接続された音素情報外部記憶手段から音素別の特徴パラメータを読み出し音素情報記憶手段に書き込む転送手段を装備し、音声合成手段は、所望受信メールの音声読み上げが指示されると、受信メール情報記憶手段の中の所望受信メールを対象に、音素情報記憶手段の音素別の特徴パラメータを用いて音声合成により本文を表す音声出力を行うようにしても良い。
請求項１２の変形として、話者識別情報を記憶した話者識別情報記憶手段を装備し、音声分析・登録手段は、音素別の特徴パラメータを話者識別情報記憶手段に記憶された話者識別情報と対応付けて音素情報記憶手段に記憶させ、転送手段は、音素情報記憶手段に記憶された音素別の特徴パラメータと対応する話者識別情報を読み出し電話装置に接続された音素情報外部記憶手段に書き込み、音声合成手段は、所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行うようにしても良い。或いは、話者識別情報を記憶した話者識別情報記憶手段を装備し、音声分析・登録手段は、音素別の特徴パラメータを音素情報記憶手段に記憶させ、転送手段は、音素情報記憶手段に記憶された音素別の特徴パラメータと話者識別情報記憶手段に記憶された話者識別情報を対応付けて電話装置に接続された音素情報外部記憶手段に書き込み、音声合成手段は、所望受信メールの音声読み上げが指示されると、受信メール情報記憶手段の中の所望受信メールを対象に、電話装置に接続された音素情報外部記憶手段の内、話者識別情報が所望受信メールの送信元識別情報と一致する音素別の特徴パラメータを用いて音声合成により受信メール本文を表す音声出力を行うようにしても良い。
【０００９】
請求項１６に係る本発明の電話装置では、話者識別情報を記憶した話者識別情報記憶手段と、音素別の特徴パラメータを記憶する音素情報記憶手段と、通話中に当該電話装置に入力された音声信号に基づき、音素の切り出し、音素の特徴パラメータの抽出と音素の種類の判別をし、音素別の特徴パラメータを話者識別情報記憶手段に記憶された話者識別情報と対応付けて音素情報記憶手段に記憶させる音声分析・登録手段と、音素情報の第１転送要求に基づき、音素情報記憶手段に記憶された音素別の特徴パラメータと話者識別情報記憶手段に記憶された話者識別情報を読み出し対応付けて電話装置に接続された音素情報外部記憶手段に書き込み、音素情報の第２転送要求に基づき、電話装置に接続された音素情報外部記憶手段に記憶された音素別の特徴パラメータと対応する話者識別情報を読み出し音素情報記憶手段に書き込む転送手段と、所望受信メールの音声読み上げが指示されると、受信メール情報記憶手段の中の所望受信メールを対象に、音素情報記憶手段の内、話者識別情報が所望受信メールの送信元識別情報と一致する音素別の特徴パラメータを用いて音声合成により本文を表す音声出力を行う音声合成手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを話者識別情報記憶手段に記憶された話者識別情報と対応付けて音素情報記憶手段に記憶させるようにしても良い。
請求項１６の変形として、音声分析・登録手段は、音素別の特徴パラメータを音素情報記憶手段に記憶させ、転送手段は、第１転送要求に基づき、音素情報記憶手段に記憶された音素別の特徴パラメータと話者識別情報記憶手段に記憶された話者識別情報を読み出し、対応付けて電話装置に接続された音素情報外部記憶手段に書き込むようにしても良い。
【００１０】
請求項１８に係る本発明の電話装置では、通話時、音声信号を回線を介して局側と送受信する電話装置において、音素別の特徴パラメータを記憶する音素情報記憶手段と、通話中に当該電話装置に入力された音声信号に基づき、音素の切り出し、音素の特徴パラメータの抽出と音素の種類の判別をし、音素別の特徴パラメータを音素情報記憶手段に記憶させる音声分析・登録手段と、１または複数のメッセージ文を記憶したメッセージ記憶手段と、所望メッセージ文の音声読み上げが指示されると、メッセージ記憶手段の中の所望メッセージ文を対象に、音素情報記憶手段の音素別の特徴パラメータを用いて音声合成によりメッセージ文を表す音声出力を行う音声合成手段と、を備えたことを特徴としており、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報記憶手段に記憶させるようにしても良い。
請求項１８の変形として、音声分析・登録手段は、音素別の特徴パラメータを電話装置に接続された音素情報外部記憶手段に記憶させ、音声合成手段は、音素情報外部記憶手段の音素別の特徴パラメータを用いて音声合成によりメッセージ文を表す音声出力を行うようにしたり、或いは、音声分析・登録手段は音素別の特徴パラメータを音素情報記憶手段に記憶させるが、転送手段が転送要求に従い、音素情報記憶手段の音素別の特徴パラメータを電話装置に接続された音素情報外部記憶手段に記憶させ、音声合成手段は、音素情報外部記憶手段の音素別の特徴パラメータを用いて音声合成によりメッセージ文を表す音声出力を行うようにしても良い。また、音声分析・登録手段は音素別の特徴パラメータを音素情報記憶手段に記憶させ、転送手段が第１転送要求に従い、音素情報記憶手段の音素別の特徴パラメータを電話装置に接続された音素情報外部記憶手段に記憶させ、第２転送要求に従い、電話装置に接続された音素情報外部記憶手段に記憶された音素別の特徴パラメータを音素情報記憶手段に記憶させ、音声合成手段は、音素情報記憶手段の音素別の特徴パラメータを用いて音声合成によりメッセージ文を表す音声出力を行うようにしても良い。
【００１１】
請求項２２に係る本発明の音声合成システムでは、通話時、音声信号を回線を介して局側と送受信する電話装置と、文字情報記憶手段に記憶された文字情報を、所定の記憶手段に記憶された音素別の特徴パラメータを用いて音声合成し、音声出力する音声合成装置と、を備えた音声合成システムにおいて、電話装置は、当該電話装置に入力された音声信号に基づき、音素の切り出し、音素の特徴パラメータの抽出と音素の種類の判別をし、音素別の特徴パラメータを電話装置に接続された音素情報外部記憶手段に記憶させる音声分析・登録手段を備え、音声合成装置は、音声合成装置に接続された音素情報外部記憶手段の音素別の特徴パラメータを用いて、文字情報記憶手段に記憶された文字情報を音声合成して音声出力するようにしたこと、を特徴としており、電話装置は、音素情報登録モードのオン・オフ操作を行う操作手段を装備し、音声分析・登録手段は、音素情報登録モードオンの場合に、通話中に当該電話装置に入力された音声信号に基づき、音素の切り出し、音素の特徴パラメータの抽出と音素の種類の判別をし、音素別の特徴パラメータを音素情報外部記憶手段に記憶させるようにしても良い。
請求項２２の変形として、電話装置に音素別の特徴パラメータを記憶する音素情報記憶手段を装備し、音声分析・登録手段は、音素別の特徴パラメータを音素情報記憶手段に記憶させ、転送手段が音素情報の転送要求に基づき、音素情報記憶手段に記憶された音素別の特徴パラメータを読み出し電話装置に接続された音素情報外部記憶手段に書き込むようにしたり、音声合成装置に音素別の特徴パラメータを記憶する音素情報記憶手段を備え、転送手段が音素情報の転送要求に基づき、音声合成装置に接続された音素情報外部記憶手段から音素別の特徴パラメータを読み出し音素情報記憶手段に記憶させるようにしても良い。
【００１２】
請求項２６に係る本発明の音素情報登録装置では、無線基地局と移動電話装置からの電波を受信し、当該移動電話装置で通話中の音声信号を取り出す受信手段と、受信手段で取り出された音声信号に基づき、音素の切り出し、音素の特徴パラメータの抽出と音素の種類の判別をし、音素別の特徴パラメータを音素情報外部記憶手段に記憶させる音声分析・登録手段と、を備えたことを特徴としており、音素情報登録モードのオン・オフ操作を行う操作手段を備えるとともに、音声分析・登録手段は、音素情報登録モードがオン時に、音素別の特徴パラメータを音素情報外部記憶手段に記憶させるようにしても良い。
請求項２６の変形として、話者識別情報を記憶した話者識別情報記憶手段を備え、音声分析・登録手段は、音素別の特徴パラメータに対応付けて話者識別情報を音素情報外部記憶手段に記憶させるようにしても良い。
【００１３】
請求項２９に係る本発明の音素情報登録装置では、無線基地局と移動電話装置からの電波を受信し、当該移動電話装置で通話中の音声信号を取り出す受信手段と、音素別の特徴パラメータを記憶する音素情報記憶手段と、受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、音素情報の転送要求に基づき、音素情報記憶手段の音素別の特徴パラメータを読み出し音素情報外部記憶手段に書き込む転送手段と、を備えたことを特徴としており、音素情報登録モードのオン・オフ操作を行う操作手段を備えるとともに、音声分析・登録手段は、音素情報登録モードがオン時に、音素別の特徴パラメータを音素情報記憶手段に記憶させ、転送手段は音素情報の転送要求に基づき、音素情報記憶手段の音素別の特徴パラメータを読み出し音素情報外部記憶手段に書き込むようにしても良い。
請求項２６の変形として、話者識別情報を記憶した話者識別情報記憶手段を備え、音声分析・登録手段は、音素別の特徴パラメータに対応付けて話者識別情報も音素情報記憶手段に記憶させるようにし、転送手段は音素情報の転送要求に基づき、音素情報記憶手段の音素別の特徴パラメータと対応する話者識別情報を読み出し音素情報外部記憶手段に書き込むようにしても良い。或いは、話者識別情報を記憶した話者識別情報記憶手段を備え、音声分析・登録手段は、音素別の特徴パラメータを音素情報記憶手段に記憶させ、転送手段は音素情報の転送要求に基づき、音素情報記憶手段の音素別の特徴パラメータと話者識別情報記憶手段の話者識別情報を読み出し対応付けて音素情報外部記憶手段に書き込むようにしても良い。
【００１４】
請求項３３記載の音素情報登録・音声合成装置は、無線基地局と移動電話装置からの電波を受信し、当該移動電話装置で通話中の音声信号を取り出す受信手段と、音素別の特徴パラメータを記憶する音素情報記憶手段と、受信手段で取り出された音声信号に基づき、音素の切り出し、音素の特徴パラメータの抽出と音素の種類の判別をし、音素別の特徴パラメータを音素情報記憶手段に記憶させる音声分析・登録手段と、１または複数の文字情報を記憶した文字情報記憶手段と、所望文字情報の音声読み上げが指示されると、文字情報記憶手段の中の所望文字情報を対象に、音素情報記憶手段の音素別の特徴パラメータを用いて音声合成により文字文を表す音声出力を行う音声合成手段と、を備えたことを特徴としており、音素情報登録モードのオン・オフ操作を行う操作手段を備えるとともに、音声分析・登録手段は、音素情報登録モードがオン時に、音素別の特徴パラメータを音素情報記憶手段に記憶させるようにしても良い。
請求項３３の変形として、音声分析・登録手段は音素別の特徴パラメータを音素情報外部記憶手段に記憶させ、音声合成手段は、音素情報外部記憶手段中の音素別の特徴パラメータを用いて音声合成により文字情報を表す音声出力を行うようにするか、或るいは、転送手段が音素情報の転送要求に基づき、音素情報記憶手段に記憶された音素別の特徴パラメータを読み出し、音素情報外部記憶手段に書き込み、音声合成手段は、音素情報外部記憶手段中の音素別の特徴パラメータを用いて音声合成により文字情報を表す音声出力を行うようにしても良い。また、転送手段が音素情報の第１転送要求に基づき、音素情報記憶手段に記憶された音素別の特徴パラメータを読み出し、音素情報外部記憶手段に書き込み、音素情報の第２転送要求に基づき、音素情報外部記憶手段に記憶された音素別の特徴パラメータを読み出し、音素情報記憶手段に書き込むようにしても良い。
【００１５】
請求項３７記載の音声合成システムは、文字情報記憶手段に記憶された文字情報を、所定の記憶手段に記憶された音素別の特徴パラメータを用いて音声合成し、音声出力する音声合成装置と、音素別の特徴パラメータの登録を行う音素情報登録装置とを備えた音声合成システムにおいて、音素情報登録装置は、無線基地局と移動電話装置からの電波を受信し、当該移動電話装置で通話中の音声信号を取り出す受信手段と、受信手段で取り出された音声信号に基づき、音素の切り出し、音素の特徴パラメータの抽出と音素の種類の判別をし、音素別の特徴パラメータを音素情報登録装置に接続された音素情報外部記憶手段に記憶させる音声分析・登録手段と、を備え、音声合成装置は、音声合成装置に接続された音素情報外部記憶手段の音素別の特徴パラメータを用いて、文字情報記憶手段に記憶された文字情報を音声合成して音声出力するようにしたこと、を特徴としており、音素情報登録モードのオン・オフ操作を行う操作手段を備えるとともに、音声分析・登録手段は、音素情報登録モードがオン時に、音素別の特徴パラメータを音素情報外部記憶手段に記憶させるようにしても良い。
請求項３７の変形として、音素情報登録装置に音素別の特徴パラメータを記憶する音素情報記憶手段を装備し、音声分析・登録手段は、受信手段で取り出された音声信号に基づき、音素の切り出し、音素の特徴パラメータの抽出と音素の種類の判別をし、音素別の特徴パラメータを音素情報記憶手段に記憶させ、転送手段が音素情報の転送要求に基づき、音素情報記憶手段に記憶された音素別の特徴パラメータを読み出し音素情報登録装置に接続された音素情報外部記憶手段に書き込むようにしても良い。或いは、音声合成装置に音素別の特徴パラメータを記憶する音素情報記憶手段を装備し、転送手段が音素情報の転送要求に基づき、音声合成装置に接続された音素情報外部記憶手段から音素別の特徴パラメータを読み出し音素情報記憶手段に書き込むようにしても良い。または、音素情報登録装置に音素別の特徴パラメータを記憶する音素情報記憶手段を装備し、音声分析・登録手段は、受信手段で取り出された音声信号に基づき、音素の切り出し、音素の特徴パラメータの抽出と音素の種類の判別をし、音素別の特徴パラメータを音素情報記憶手段に記憶させ、転送手段が音素情報の転送要求に基づき、音素情報記憶手段に記憶された音素別の特徴パラメータを読み出し音素情報登録装置に接続された音素情報外部記憶手段に書き込むようにし、かつ、音声合成装置に音素別の特徴パラメータを記憶する音素情報記憶手段を装備し、転送手段が音素情報の転送要求に基づき、音声合成装置に接続された音素情報外部記憶手段から音素別の特徴パラメータを読み出し音素情報記憶手段に書き込むようにしても良い。
【００１６】
【発明の実施の形態】
次に、本発明の一つの実施の形態を図１を参照して説明する。図１は本発明に係るＴＤＭＡでセルラ方式の携帯電話の構成を示すブロック図である。
携帯電話１００の内、１は送受共用のアンテナ、２は無線部（ＲＦ部）であり、送信時には後述するベースバンド信号処理部から入力した無線基地局宛の送信ディジタルベースバンド信号のディジタル変調、所望チャネル周波数への周波数変換、電力増幅を行ってアンテナ１へ出力し、外部の無線基地局へＴＤＭＡ信号を送信させ、受信時にはアンテナ１が受波した無線基地局からの自局宛のＴＤＭＡ信号の低雑音増幅、周波数変換、ディジタル復調を行って受信ディジタルベースバンド信号をベースバンド信号処理部へ出力する。３はベースバンド信号処理部であり、ＴＤＭＡ方式に従って受信ディジタルベースバンド信号から自局宛の制御チャネルのデータや通話チャネルのデータを抽出し、制御チャネルのデータはコントロール部へ出力し、通話チャネルの高能率符号化受話音声信号の場合には復号してディジタル受話音声信号に変換して出力する。また、ベースバンド信号処理部３は、ＴＤＭＡ方式に従って、コントロール部から送信用の制御データを入力すると、該制御データを含む所定の制御チャネルの送信ディジタルベースバンド信号を作成し、自局に割り当てられたタイムスロットのタイミングで無線部２へ出力したり、コントロール部から送信用の情報データを入力すると、該情報データを含む所定の通話チャネルの送信ディジタルベースバンド信号を作成し、自局に割り当てられたタイムスロットのタイミングで無線部２へ出力したりする。更に、ベースバンド信号処理部３は、通話時、外部から入力したディジタル送話音声信号を符号化して高能率符号化受話音声信号に変換し、該符号化受話音声信号を所定の通話チャネルに含む送信ディジタルベースバンド信号を作成し、自局に割り当てられたタイムスロットのタイミングで無線部２へ出力する。
【００１７】
４はベースバンド信号処理部３から出力されたディジタル受話音声信号と後述する音声読み上げ部から出力されたディジタル読み上げ音声信号とを加算する加算部、５は加算部４の出力をアナログの音声信号に変換するＤ／Ａ変換部、６は音声信号の電力増幅を行うアンプ部、７はアンプ部６の出力で駆動される受話スピーカ、８は送話マイク、９は送話マイク８で入力されたアナログの送話音声信号を増幅するアンプ部、１０はアンプ部９の出力をディジタル送話音声信号に変換してベースバンド信号処理部３へ出力するＡ／Ｄ変換部である。
【００１８】
１１は音素情報自動登録モードがオン状態での通話時、ディジタル送話音声信号を入力し、音声分析を行って音素別の特徴パラメータを抽出して出力する音声分析部である。この音声分析部１１は具体的には、図２に示す如く、ディジタル送話音声信号を入力し、音素毎に切り出しを行う音素切り出し回路１１ａ、この音素切り出し回路１１ａで切り出された各音素毎のディジタル送話音声信号に対し、特徴パラメータの抽出を行う特徴抽出回路１１ｂ、音素毎の特徴パラメータから音素の種類を判別する音素判別回路１１ｃ、音素毎に特徴パラメータと音素の種類を対応付けた音素情報（音素別の特徴パラメータ）を出力する出力回路１１ｄから構成されている。
【００１９】
１２は複数人分の音素情報を、話者識別情報としての電話番号と対応付けて記憶可能な音素情報内部記憶部、１３は１人分の音素情報を話者識別情報としての電話番号と対応付けて記憶可能な可搬形音素情報外部記憶部であり、ここではオスコネクタ１４を有する半導体メモリカードにより構成されているものとする。音素情報内部記憶部１２は図３に示す如く第１記憶領域ＰＡと第２記憶領域ＰＢを有し、第１記憶領域ＰＡには一人分の音素別の特徴パラメータと話者識別情報としての電話番号を対応付けて記憶可能である。第２記憶領域ＰＢにはＮ人分の音素別の特徴パラメータと話者識別情報としての電話番号を対応付けて記憶可能である。第２記憶領域ＰＢはＮ個の記憶領域ＰＢ1 〜ＰＢN に分かれ、各記憶領域ＰＢi には、話者識別情報としての電話番号と音素別の特徴パラメータを対応付けて記憶可能である。可搬形音素情報外部記憶部１３は図４に示す話者識別情報としての電話番号と音素別の特徴パラメータを対応付けて記憶可能である。
【００２０】
１５は可搬形音素情報外部記憶部１３のオスコネクタ１４と着脱自在に接続可能なメスコネクタであり、後述するコントロール部と接続されている。１６は文字情報記憶部であり、受信メール情報記憶領域ＱＡとメッセージ記憶領域ＱＢを有し、前者の受信メール情報記憶領域ＱＡには、複数の受信メールについて、送信元識別情報としての送信元アドレス（ここでは送信元電話番号とする）、件名、本文を含む受信メール情報を記憶可能である。受信メール情報記憶領域ＱＡは図５に示す如く、Ｗ個の記憶領域ＱＡ1 〜ＱＡW に分かれ、各記憶領域ＱＡj には１通の受信メールについての送信元電話番号、件名（文字列）、メール本文（文字列）を記憶可能である。メッセージ記憶領域ＱＢは図５に示す如く、Ｖ個の記憶領域ＱＢ1 〜ＱＢV に分かれ、各記憶領域ＱＢk には１つのメッセージ文（文字列）を記憶可能である。１７は音声読み上げ部であり、文字情報記憶部１６に記憶された、１または複数の文字情報（１または複数の受信メールと１または複数のメッセージ）の内、ユーザ所望の受信メール（またはメッセージ）について、音素情報内部記憶部１２に記憶された内、当該所望受信メールの送信人の音素情報（または自局のユーザの音素情報）を用いて、音声合成により件名とメール本文（またはメッセージ文）のディジタル読み上げ音声信号を作成して出力する。この音声読み上げ部１７は具体的には図６に示す如く、文字情報記憶部１６の受信メール情報記憶領域ＱＡ（またはメッセージ記憶領域ＱＢ）の内、ユーザ所望の受信メールの件名とメール本文の文字列（またはユーザ所望のメッセージ文の文字列）について、音素列に変換する音素列変換回路１７ａ、音素情報内部記憶部１２に記憶された内、当該所望受信メールの送信人の音素情報（または自局のユーザの音素情報）を用いて音素列データを音声合成によりディジタル読み上げ音声信号に変換して出力する音声合成回路１７ｂとから構成されている。
【００２１】
１８はディジタルメロディ着信音信号とディジタル読み上げ音声信号を加算する加算部、１９は加算部１８の出力をアナログ音声信号に変換するＤ／Ａ変換部、２０はＤ／Ａ変換部１９の出力を電力増幅するアンプ部、２１はアンプ部２０の出力で駆動される拡声スピーカである。
【００２２】
２２は表示部であり、ユーザが発信のためにダイヤルした電話番号を表示したり、着信があったときに相手の電話番号を表示したり、ユーザの選択した所望受信メールの送信元電話番号、件名、メール本文を表示したりする。２３は操作部であり、電源オン／オフ操作、オンフック／オフフック操作、ダイヤル発信操作、文字入力操作（メール送信のための送信先アドレスとしての送信先電話番号の入力操作、送信メールの件名と本文の入力操作を含む）、メール送信指示操作、受信メール中の所望受信メールの選択操作、音素情報自動登録モードのオン／オフ操作、所望受信メールの音声読み上げの指示操作、可搬形音素情報外部記憶部１３から音素情報内部記憶部１２の第２領域ＰＢへの音素情報の転送指示操作（第２転送指示操作）、音素情報内部記憶部１２の第１領域ＰＡから可搬形音素情報外部記憶部１３への音素情報の転送指示操作（第１転送指示操作）などを行う。
【００２３】
２４はマイコン構成のコントロール部であり、操作部２３の操作に従い各部を制御し、待ち受け処理、着信通話接続処理、発信通話接続処理、メールの作成及びメール発信処理、メールの受信処理、各種表示処理（ダイヤル発信電話番号、着信電話番号、所望受信メールの送信元電話番号と件名と本文など）を行うほか、音素情報自動登録モードオン状態の下での通話中、音声分析部１１にディジタル送話音声信号に対する音素別の特徴パラメータの分析をさせ、該分析した音素別の特徴パラメータと話者識別情報（ここでは自局の電話番号とする）の音素情報内部記憶部１２と可搬形音素情報外部記憶部１３への登録処理をしたり、可搬形音素情報内部記憶部１３から音素情報内部記憶部１２への音素情報の転送処理、音素情報内部記憶部１２から可搬形音素情報外部記憶部１３への音素情報の転送処理をする。
【００２４】
また、コントロール部２４はユーザが音声読み上げ用に選択した任意の受信メールの件名と本文につき、音素情報内部記憶部１２または可搬形音素情報外部記憶部１３のいずれかに話者識別情報が受信メールの送信元識別情報と一致する音素情報が存在するとき、該音素情報を用いて音声読み上げ部１７により、所望受信メールの件名と本文のディジタル読み上げ音声信号を生成させる。
【００２５】
図７〜図１２はコントロール部２４の制御処理を示すフローチャート、図１３は携帯電話間での音素情報の交換方法の説明図であり、以下、これらの図を参照して図１の携帯電話の動作を説明する。
図１３に示す如く、ユーザＡ、Ｂが各々、図１に示す携帯電話と同じタイプの携帯電話を有しているものとし、符号１００Ａ（電話番号０９０−△△××−○○×△。該電話番号が話者識別情報として携帯電話１００Ａのコントロール部２６の内蔵メモリ（図示せず）に記憶されている）、１００Ｂ（電話番号０９０−□□○×−○○□○。該電話番号が話者識別情報として携帯電話１００Ｂのコントロール部２４の内蔵メモリ（図示せず）に記憶されている）で区別する。また、各携帯電話１００Ａ、１００Ｂには各々、可搬形音素情報外部記憶部が付属しているものとし、符号１３Ａ、１３Ｂで区別する。ここでは、携帯電話１００Ａと可搬形音素情報外部記憶部１３Ａを中心にして説明する。
【００２６】
最初、携帯電話１００Ａは音素情報自動登録モードがオフしているものとし、コントロール部２４の内蔵メモリ（図示せず）に記憶された音素情報自動登録モードフラグＳＦは０になっているものとする。また、コントロール部２６の内蔵メモリには、携帯電話１００Ａの電話番号（０９０−△△××−○○×△）が記憶済であるとし、また、文字情報記憶部１６には、既に記憶領域ＱＡ1 〜ＱＡ9 まで９通分の受信メール情報（送信元電話番号、件名、メール本文）が記憶されているものとする。音素情報内部記憶部１２はいずれの記憶領域も空であるとする。
【００２７】
（１）待ち受け
操作部２３でユーザＡが電源オン操作をすると、コントロール部２４は待ち受けのため無線部２とベースバンド信号処理部３を制御し、無線部２により無線基地局から送信された待ち受け用の制御チャネルを含む所定の周波数かつＴＤＭＡタイムスロットのＴＤＭ信号を受信させて受信ディジタルベースバンド信号をベースバンド信号処理部３に出力させ、また、ベースバンド信号処理部３を制御し、待ち受け用の制御チャネルの制御データを抽出してコントロール部２４へ出力させる（図７のステップＳ１０）。そして、制御チャネルで自局の呼び出しがされたか、すなわち着信があったかチエックする（ステップＳ１１）。ここでは、ＮＯであったとすると、ユーザが他にとくに操作をしなければステップＳ１０に戻り、同様の処理を繰り返す。
【００２８】
（２）着信通話時の音素情報自動登録
ユーザＡが、通話をしている間の自分の音声の音素情報を可搬形音素情報外部記憶部１３Ａに登録したい場合、可搬形音素情報外部記憶部１３Ａのオスコネクタ１４を携帯電話１００Ａのメスコネクタ１５に結合しておく。ここでは、可搬形音素情報外部記憶部１３Ａの記憶内容は空であるとする。操作部２３で音素情報自動登録モードのオン操作をすると、コントロール部２４は内蔵メモリの音素情報自動登録モードフラグＳＦを１とし、音素情報自動登録モードをオンする（図９のステップＳ４０、Ｓ４１）。
この状態で着信があるとコントロール部２４はステップＳ１１でＹＥＳと判断し、通話呼び出しであれば、無線部２とベースバンド信号処理部３を制御し、無線基地局との間で所定の制御データを所定の制御チャネルで送受させて、無線基地局宛てに着信第１応答信号を返すとともに無線基地局から指定された通話チャネルでの無線回線を確立する（ステップＳ１２、Ｓ１３）。そして、ディジタルメロディ通話着信音を生成して加算部１８へ出力し、拡声スピーカ２１からメロディ通話着信音を出力させる（ステップＳ１４）。ユーザがオフフック操作をすると、ディジタルメロディ通話着信音の出力を止め、無線部２とベースバンド信号処理部３を制御し、無線基地局宛てに着信第２応答信号を返して通話状態へ移行させる（ステップＳ１５〜Ｓ１７）。
【００２９】
通話状態では、無線基地局から送信された自局宛の情報チャネルの下りＴＤＭＡタイムスロット信号が無線部２で受信され、ベースバンド信号処理部３で情報チャネルに含まれる高能率符号化受話音声信号が抽出されて復号処理がされ、また通話チャネルに付随する付随制御チャネルの制御データがコントロール部２４ヘ出力される。復号で得られたディジタル受話音声信号はＤ／Ａ変換部５へ出力されてアナログ化され、アンプ部６で電力増幅後、受話スピーカ７から音響再生される。反対に、ユーザＡが送話マイク８に向かって話すと、送話マイク８からアナログの送話音声信号が出力され、アンプ部９で増幅される。そして、Ａ／Ｄ変換部１０でディジタル送話音声信号に変換されたのちベースバンド信号処理部３へ出力される。ベースバンド信号処理部３ではディジタル送話音声信号を高能率符号化し、該高能率符号化送話音声信号を情報データとする通話チャネルの上りＴＤＭＡタイムスロット信号が作成されて、所定のタイミングで無線部２へ出力される。無線部２は上りＴＤＭＡタイムスロット信号を無線基地局側へ送信させる。
【００３０】
通話状態に入ると、コントロール部２４はまず音素情報自動登録モードがオンかチェックし（ステップＳ１８）、ＮＯであれば、オンフック操作がされるかまたは相手側から通話チャネルに付随する付随制御チャネルで切断信号が受信されると、通話終了処理をし、最初の待ち受け状態に戻る（ステップＳ１９、Ｓ２０）。但し、ここでは、音素情報自動登録モードがオンしているので、まず、音素情報内部記憶部１２の第１記憶領域ＰＡに話者識別情報としての自局の電話番号０９０−△△××−○○×△が登録されているかチェックし（ステップＳ２１）、ＮＯなので、第１記憶領域ＰＡをクリアし、自局の電話番号を話者識別情報として記憶させる（ステップＳ２２）。次に、可搬形音素情報外部記憶部が接続されているかチェックし（図８のステップＳ３０）、１３Ａが接続されていてＹＥＳなので可搬形音素情報外部記憶部１３Ａの中に話者識別情報としての自局の電話番号が登録されているかチェックし（ステップＳ３１）、ここでもＮＯなので、可搬形音素情報外部記憶部１３Ａの記憶領域をクリアし、自局の電話番号０９０−△△××−○○×△を話者識別情報として記憶させる（ステップＳ３２）。
【００３１】
続いて、音声分析部１１に対し音声分析開始制御をする。音声分析部１１は音声分析を開始すると、Ａ／Ｄ変換部１０から出力されたディジタル送話音声信号に対し、音素毎に切り出しを行い、切り出された各音素毎のディジタル送話音声信号に対し、特徴パラメータを抽出するとともに音素毎の特徴パラメータから音素の種類を判別し、音素毎に音素の種類と特徴パラメータを対応付けた音素情報（音素別の特徴パラメータ）をコントロール部２４へ出力する。コントロール部２４は、音素別の特徴パラメータを音素情報内部記憶部１２の第１領域ＰＡと可搬形音素情報外部記憶部１３Ａに、音素の種類と特徴パラメータを対応付けて書き込んでいく（ステップＳ３３）。但し、記憶領域ＰＡと可搬形音素情報外部記憶部１３Ａの中に同じ音素についての特徴パラメータが書き込み済であるときは、上書きする。
【００３２】
その後、ユーザＡがオンフック操作をするか、または相手側から切断信号を含む制御データが受信されると、コントロール部２４は音声分析部１１に対し音声分析終了制御をして音声分析を終了させ、無線部２とベースバンド信号処理部３を制御し、無線基地局との間で所定の制御データを情報チャネルに付随する付随制御チャネルで送受させて、終話処理をする（ステップＳ３４〜Ｓ３６）。
【００３３】
（３）発信通話時の音素情報自動登録
その後の音素情報自動登録モードオン状態での待ち受け中に、ユーザＡが通話発信のためオフフック操作とダイヤル操作による通話発信操作を行うとコントロール部２４は無線部２とベースバンド信号処理部３を制御し、無線基地局側に発信要求と相手先電話番号を含む制御データを所定の制御チャネルで送信させ、また、無線基地局側から指定された通話チャネルでの無線回線を確立する（ステップＳ２３、Ｓ２４）。相手側が電話に出ず、ユーザＡがオフフック操作したときは、コントロール部２４は無線部２とベースバンド信号処理部３を制御し、無線基地局側に通話チャネルに付随する付随制御チャネルで切断信号を送信させて待ち受け状態に戻る（ステップＳ２５、Ｓ２６）。相手側が電話に出て通話チャネルに付随する付随制御チャネルで接続信号が受信されたときは、通話チャネルでの無線回線の接続状態を維持し、通話状態に移行する（ステップＳ２７、Ｓ２８）。
【００３４】
通話状態では、着信通話時と同様にして相手側からの受話音声が受話スピーカ７から出力され、送話マイク８から入力されたユーザＡの送話音声信号が相手側へ送信される。
通話状態に入ると、コントロール部２４は音素情報自動登録モードがオンなので（ステップＳ１８でＹＥＳ）、音素情報内部記憶部１２の第１記憶領域ＰＡに自局の電話番号が登録されているかチェックし（ステップＳ２１）、ＹＥＳであれば、可搬形音素情報外部記憶部が接続されているかチェックし（図８のステップＳ３０）、１３Ａが接続されていてＹＥＳであれば更に可搬形音素情報情報外部記憶部１３Ａの中に自局の電話番号が登録されているかチェックする（ステップＳ３１）。
【００３５】
ここでもＹＥＳであれば、音声分析部１１に対し音声分析開始制御をする。音声分析部１１は音声分析を開始すると、Ａ／Ｄ変換部１０から出力されたディジタル送話音声信号に対し、音素毎に切り出しを行い、切り出された各音素毎のディジタル送話音声信号に対し、特徴パラメータを抽出するとともに音素毎の特徴パラメータから音素の種類を判別し、音素毎に特徴パラメータと音素の種類を対応付けた音素情報（音素別の特徴パラメータ）をコントロール部２４へ出力する。コントロール部２４は、音素別の特徴パラメータを音素情報内部記憶部１２の第１領域ＰＡと可搬形音素情報外部記憶部１３Ａに、音素の種類と特徴パラメータを対応付けて書き込んでいく（ステップＳ３３）。但し、記憶領域ＰＡと可搬形音素情報外部記憶部１３Ａの中に同じ音素についての特徴パラメータが書き込み済であるときは、上書きする。
【００３６】
その後、ユーザＡがオンフック操作をするか、または相手側から切断信号を含む制御データが受信されると、コントロール部２４は音声分析部１１に対し音声分析終了制御をして音声分析を終了させ、無線部２とベースバンド信号処理部３を制御し、無線基地局との間で所定の制御データを情報チャネルに付随する付随制御チャネルで送受させて、終話処理をする（ステップＳ３４〜Ｓ３６）。
【００３７】
このように、事前に音素情報自動登録モードをオンしておけば、ユーザＡが携帯電話１００Ａで通話する度に、自動的にユーザＡの音声の音素別の特徴パラメータが音素情報内部記憶部１２と可搬形音素情報外部記憶部１３Ａの中に登録されていくため、音素情報の登録のために特別な作業をしなくて済む。
【００３８】
なお、ユーザＡが音素情報外部記憶部１３Ａを携帯電話１００Ａに装着せずに、音素情報自動登録モードオン状態で通話をしていた場合、ユーザＡの音素情報は携帯電話１００Ａの音素情報内部記憶部１２に記憶され（ステップＳ３７）、ユーザＡがオンフック操作をするか、または相手側から切断信号を含む制御データが受信されると、コントロール部２４は音声分析部１１に対し音声分析終了制御をして音声分析を終了させ、無線部２とベースバンド信号処理部３を制御し、無線基地局との間で所定の制御データを情報チャネルに付随する付随制御チャネルで送受させて、終話処理をする（ステップＳ３８、Ｓ３５、Ｓ３６）。
このあと、ユーザＡが音素情報内部記憶部１２に記憶された自身の音声の音素情報を可搬形音素情報外部記憶部１３Ａに転送させたい場合、まず可搬形音素情報外部記憶部１３Ａを携帯電話１００Ａに装着して接続し、操作部２３で音素情報内部記憶部１２から可搬形音素情報内部記憶部１３Ａへの転送指示操作（第１転送指示操作）をする。
すると、コントロール部２４は可搬形音素情報外部記憶部１３Ａの記憶内容をクリアしたのち、音素情報内部記憶部１２の第１記憶領域ＰＡに対応付けて記憶された電話番号と音素別の特徴パラメータを読み出し、可搬形音素情報外部記憶部１３Ａへ書き込むことで転送を行う（図９のステップＳ４４、Ｓ４５）。
【００３９】
携帯電話１００ＡをユーザＡ以外の者に使わせたいときは、音素情報自動登録モードのオフ操作をする。すると、コントロール部２４は音素情報自動登録モードをオフするので（図９のステップＳ４２、Ｓ４３）、通話が開始しても送話音声の音素情報の登録処理はされない（図７のステップＳ１８でＮＯ）。
【００４０】
（４）音素情報の交換
ユーザＢも携帯電話１００Ｂにより、音素情報自動登録モードオン状態で通話することで、自身の声の音素別の特徴パラメータを携帯電話１００Ｂの音素情報内部記憶部１２や可搬形音素情報外部記憶部１３Ｂに記憶させることができる。音素情報内部記憶部１２だけに登録していたときは、可搬形音素情報外部記憶部１３Ｂを装着して接続し、操作部２３で音素情報内部記憶部１２からの自身の音素情報の可搬形音素情報外部記憶部１３Ｂへの転送指示操作（第１転送指示操作）をする。コントロール部２４は音素情報内部記憶部１２の内、第１記憶領域ＰＡに記憶された音素情報と対応する電話番号を読み出し、可搬形音素情報外部記憶部１３Ｂの中に記憶させる。
【００４１】
ユーザＡがユーザＢから受信したメールを、ユーザＢの音声で読み上げさせたい場合、事前にユーザＢから該ユーザＢの音素情報と話者電話番号が登録された可搬形音素情報外部記憶部１３Ｂを借り、携帯電話１００Ａに装着して接続した状態で、ユーザＢから受信したメールの音声読み上げを指示するか、または、事前にユーザＢの音素情報と話者電話番号が登録された可搬形音素情報外部記憶部１３Ｂを一時的に携帯電話１００Ａに装着して、該可搬形音素情報外部記憶部１３Ｂの記憶内容を携帯電話１００Ａの中に転送させておき（このあと可搬形音素情報外部記憶部１３Ｂは外してユーザＢに返して良い）、ユーザＢから受信したメールの音声読み上げを指示する。
【００４２】
可搬形音素情報外部記憶部１３Ｂから携帯電話１００Ａへの音素情報と話者電話番号の転送の仕方は次の通りである。可搬形音素情報外部記憶部１３Ｂを携帯電話１００Ａのメスコネクタ１５に装着して接続し、操作部２３で可搬形音素情報外部記憶部１３Ｂから音素情報内部記憶部１２への転送指示操作（第２転送指示操作）をする。すると、コントロール部２４は、可搬形音素情報外部記憶部１３Ｂの音素情報を対応する電話番号とともに読み出し、音素情報内部記憶部１２の第２記憶領域ＰＢの内、同一の電話番号が登録された記憶領域ＰＢi が存在するときは、記憶領域ＰＢi の音素情報をクリアしたのち、可搬形音素情報外部記憶部１３Ｂから読み出した音素情報を記憶領域ＰＢi を書き込み、同一の電話番号が登録された記憶領域ＰＢi が存在しないときは、空きの記憶領域へ電話番号と音素情報を対応付けて書き込む（図９のステップＳ４６、Ｓ４７）。
反対に、ユーザＢがユーザＡから受信したメールを、ユーザＡの音声で読み上げさせたい場合、事前にユーザＡから該ユーザＡの音素情報が登録された可搬形音素情報外部記憶部１３Ａを借り、同様の操作で携帯電話１００Ｂの中にユーザＡの音素情報と対応する電話番号を転送させておく。
【００４３】
（５）ユーザＢからユーザＡへのメールの送信
ユーザＢがユーザＡにメールを送信したい場合、携帯電話１００Ｂの操作部２３でメールの宛て先（ここではユーザＡの電話番号とする）、件名、本文を入力してメール作成操作をしたのち、メール送信操作をする。コントロール部２４はユーザの作成したメールの情報を内蔵メモリ（図示せず）に記憶したのち（ステップＳ４８、Ｓ４９）、メール送信操作に従い、無線部２とベースバンド信号処理部３を制御し、送信メール情報（宛て先、件名、本文）を所定の制御チャネルで無線基地局側に送信させる（ステップＳ５０、Ｓ５１）。
送信メール情報は移動通信網を経由して無線基地局から待ち受け用の制御チャネルにより携帯電話１００Ａあてに送信される。携帯電話１００Ａのコントロール部２４はベースバンド信号処理部３から入力した待ち受け用の制御チャネルの制御データに自機宛のメール情報の着信があると、受信メール情報（宛て先、件名、本文）を文字情報記憶部１６の空きの記憶領域ＱＡ10（若し、空きの記憶領域がないときは、一番古い受信メール情報の記憶された記憶領域）に記憶させるとともに、一定時間だけ所定のディジタルメール着信音信号を発生して、加算部１８へ出力し、拡声スピーカ２１からメール着信音を出力させる（図７のステップＳ１１でＹＥＳ、Ｓ１２、図１０のステップＳ６０、Ｓ６１）。
【００４４】
（６）ユーザＡの側での受信メールの音声読み上げ
ユーザＡが今回、ユーザＢから受信したメールをユーザＢの声で読み上げさせたい場合、操作部２３で所望受信メールの選択操作をする。すると、コントロール部２４は、文字情報記憶部１６から所望受信メールの送信元電話番号、件名、本文を表示部２２に表示させる（図１１のステップＳ７０、Ｓ７１）。ここで、クリア操作をすると、メール表示を消し、待ち受け状態に戻るが（ステップＳ７３、Ｓ７４）、音声読み上げを指示すると、コントロール部２４は、音素情報内部記憶部１２の第２記憶領域ＰＢ中に所望メールの送信元電話番号と同じ電話番号が対応付けて登録された音素情報が存在するかチェックする（ステップＳ７２、Ｓ７５）。ＮＯであれば、或る１つの可搬形音素情報外部記憶部１３Ｘ（ＸはＡ、Ｂ、・・）が接続されているかチェックし、ＹＥＳであれば所望メールの送信元電話番号と同じ電話番号の登録された音素情報が存在するかチェックする（ステップＳ７７、Ｓ７８）。ステップＳ７５とＳ７８のいずれかでＹＥＳであれば、音声読み上げ部１７を制御し、文字情報記憶部１６の内の所望受信メールの件名と本文について、音素情報内部記憶部１２（または可搬形音素情報外部記憶部１３Ｘ）の内、所望メールの送信元電話番号と同じ電話番号に対応付けて登録された音素情報を用いて、音声合成によりディジタル読み上げ音声信号を生成して出力させる（ステップＳ７６またはＳ７９）。ディジタル読み上げ音声信号は加算部１８と加算部４へ出力され、拡声スピーカ２１と受話スピーカ７から音声出力される。
これにより、ユーザＡはユーザＢからのメールの内容をユーザＢの声で聴くことができ、実感が湧く。
【００４５】
（７）ユーザＡからＢへのメールの送信
ユーザＡがＢにメールを送信したい場合、携帯電話１００Ａの操作部２３でメールの宛て先（ここではユーザＢの電話番号とする）、件名、本文を入力してメール作成操作をしたのち、メール送信操作をする。コントロール部２４はユーザの作成したメールの情報を内蔵メモリ（図示せず）に記憶したのち（図９のステップＳ４８、Ｓ４９）、メール送信操作に従い、無線部２とベースバンド信号処理部３を制御し、送信メール情報（宛て先、件名、本文）を所定の制御チャネルで無線基地局側に送信させる（ステップＳ５０、Ｓ５１）。
送信メール情報は移動通信網を経由して無線基地局から待ち受け用の制御チャネルにより携帯電話１００Ｂあてに送信される。携帯電話１００Ｂのコントロール部２４はベースバンド信号処理部３から入力した待ち受け用の制御チャネルの制御データに自機宛のメール情報の着信があると、文字情報記憶部１６に記憶させるとともに、一定時間だけ所定のディジタルメール着信音信号を発生して、加算部１８へ出力し、拡声スピーカ２１からメール着信音を出力させる（図７のステップＳ１１、Ｓ１２、図１０のステップＳ６０、Ｓ６１）。
【００４６】
（８）ユーザＢの側での受信メールの音声読み上げ
ユーザＢが今回、ユーザＡから受信したメールをユーザＡの声で読み上げさせたい場合、携帯電話１００Ｂの操作部２３で所望受信メールの選択操作をする。すると、コントロール部２４は、文字情報記憶部１６から所望受信メールの送信元電話番号、件名、本文を表示部２２に表示させる（図１１のステップＳ７０、Ｓ７１）。ここで、音声読み上げを指示すると、コントロール部２４は、音素情報内部記憶部１２の第２記憶領域ＰＢ中に所望メールの送信元電話番号と同じ電話番号の登録された音素情報が存在するかチェックする（ステップＳ７２、Ｓ７５）。ＮＯであれば、可搬形音素情報外部記憶部１３Ｘ（Ｘ＝Ａ、Ｂ、・・）が接続されているかチェックし、ＹＥＳであれば所望メールの送信元電話番号と同じ電話番号の登録された音素情報が存在するかチェックする（ステップＳ７７、Ｓ７８）。ステップＳ７５とＳ７８のいずれかでＹＥＳであれば、音声読み上げ部１７を制御し、文字情報記憶部１６の内の所望メールの件名とメール本文について、音素情報内部記憶部１２（または可搬形音素情報外部記憶部１３Ｘ）の内、所望メールの送信元電話番号と電話番号に対応付けて登録された音素情報を用いて、音声合成によりディジタル読み上げ音声信号を生成して出力させる。ディジタル読み上げ音声信号は加算部１８と加算部４へ出力され、拡声スピーカ２１と受話スピーカ７から音声出力される。
これにより、ユーザＢはユーザＡからのメールの内容をユーザＡの声で聴くことができ、実感が湧く。
【００４７】
（９）メッセージ文の入力と読み上げ
ユーザＡが高齢、風邪等で声を出しにくくなったときに、携帯電話１００Ａで近くの人に音声でメッセージを伝えたい場合、予め、操作部２３で所望メッセージ文の文字入力をしておく。コントロール部２４は文字入力されたメッセージ文を文字情報記憶部１６のメッセージ記憶領域ＱＢの空きの記憶領域ＱＢi （空きがないときは一番古いメッセージ文の記憶された記憶領域ＱＢi ）に記憶させる（図１２のステップＳ８０、Ｓ８１）。
以下では、文字情報記憶部１６のメッセージ記憶領域ＱＢの記憶領域ＱＢ1 、ＱＢ2 ・・に既に「新聞をとって下さい」、「犬を散歩に連れていって下さい」、・・・などの多数のメッセージ文が記憶済であるとする。
【００４８】
ユーザＡが近くに居る人に「新聞をとって下さい」と伝えたい場合、操作部２３で所望メッセージの選択操作をする。すると、コントロール部２４は、文字情報記憶部１６の内、所望メッセージを表示部２２に表示させる（ステップＳ８２、Ｓ８３）。ここで、クリア操作をすると、メッセージ表示を消し、待ち受け状態に戻るが（ステップＳ８４、Ｓ８５）、音声読み上げを指示すると、コントロール部２４は、音素情報内部記憶部１２の中に自局（携帯電話１００Ａ）の電話番号に対応付けて登録された音素情報が存在するかチェックする（ステップＳ８６、Ｓ８７）。ＮＯであれば、可搬形音素情報外部記憶部１３Ｘ（Ｘ＝Ａ、Ｂ、・・）が接続されているかチェックし（ステップＳ８８）、ＹＥＳであれば自局の電話番号の登録された音素情報が存在するかチェックする（ステップＳ８９）。ステップＳ８７とＳ８９のいずれかでＹＥＳであれば、音声読み上げ部１７を制御し、文字情報記憶部１６の内の所望メッセージについて、音素情報内部記憶部１２（または音素情報外部記憶部１３Ｘ）の内、携帯電話１００Ａの電話番号に対応付けて登録された音素情報を用いて、音声合成によりディジタル読み上げ音声信号を生成して出力させる。ディジタル読み上げ音声信号は加算部１８へ出力され、拡声スピーカ２１と受話スピーカ７から音声出力される（ステップＳ９０）。
これにより、ユーザＡは声が出にくくても、人に自分の声で所望のメッセージを伝えることができる。
【００４９】
この実施の形態によれば、事前に携帯電話１００ＡのユーザＡが操作部２３で音素情報自動登録モードをオンにしておくと、ユーザＡが携帯電話１００Ａで通話をしている間に、送話者であるユーザＡの音声信号に基づき音素別の特徴パラメータが分析され、音素情報内部記憶部１２（音素情報外部記憶部１３Ａが装着されているときは音素情報内部記憶部１２と音素情報外部記憶部１３Ａ）に自動的に記憶される。よって、ユーザは音素情報の登録のために何ら特別な作業をしなくても、自身の声の音素別の特徴パラメータを音素情報内部記憶部１２（音素情報外部記憶部１３Ａが装着されているときは音素情報内部記憶部１２と音素情報外部記憶部１３Ａ）に登録させることができる。若し、通話時に音素情報外部記憶部１３Ａを装着していなくても、後から音素情報内部記憶部１２から音素情報外部記憶部１３Ａへ転送することもでき、利便性が高い。音素情報には、話者識別情報としての携帯電話１００Ａの電話番号が自動的に対応付けて登録されるので、音素情報を利用する側の音声合成機能付き機器では誰の音素情報であるか容易に判る。
【００５０】
そして、他の携帯電話１００ＢのユーザＢの音素情報が登録された音素情報外部記憶部１３Ｂを携帯電話１００Ａに装着して接続し、当該音素情報外部記憶部１３Ｂから音素情報と対応する話者識別情報を読み出し、音素情報内部記憶部１２に転送しておくと、ユーザＢから受信したメールが有るとき、操作部２３でユーザＢから受信したメールの音声読み上げを指示すれば、音素情報内部記憶部１２に記憶されたユーザＢの音素情報を用いて音声合成により所望メールの件名と本文の読み上げ音声信号が生成され、拡声スピーカ２１と受話スピーカ７から音響出力されるので、実感のこもったメールの内容が判る。
なお、可搬形音素情報外部記憶部１３ＢからユーザＢの音素情報を音素情報内部記憶部１２に転送してなくても、ユーザＢの音素情報が登録された可搬形音素情報外部記憶部１３Ｂが携帯電話１００Ａに装着して接続してあれば、操作部２３でユーザＢから受信したメールの音声読み上げを指示すると、可搬形音素情報外部記憶部１３Ｂに記憶されたユーザＢの音素情報を用いて音声合成により所望メールの件名と本文の読み上げ音声信号が生成されて、拡声スピーカ２１と受話スピーカ７から音響出力される。
【００５１】
また、ユーザＡが声を出しにくいとき、操作部２３で所望メッセージの音声読み上げを指示すれば、音素情報内部記憶部１２または可搬形音素情報外部記憶部１３Ａに記憶されたユーザＡの音素情報を用いて音声合成により所望メッセージの読み上げ音声信号が生成され、拡声スピーカ２１から音響出力されるので、近くにいる人に自分の音声で所望事項を伝言することができる。
【００５２】
なお、上記した実施の形態では、携帯電話１００Ａで所望受信メールの音声読み上げを指示したとき、コントロール部２４は、音素情報内部記憶部１２と可搬形音素情報外部記憶部１３Ｘの内、話者識別情報としての電話番号が送信元識別情報としての電話番号と一致する音素情報を用いて音声合成するようにしたが、音声読み上げに用いる音素情報を任意に選択可能として、音素情報内部記憶部１２と可搬形音素情報外部記憶部１３Ｘに記憶された内、ユーザの選択した或る所望の話者識別情報としての電話番号に対応付けられた音素情報を用いて音声合成するようにしても良い。同様に、携帯電話１００Ａで所望メッセージ文の音声読み上げを指示したとき、コントロール部２４は、音素情報内部記憶部１２と可搬形音素情報外部記憶部１３Ｘの内、話者識別情報が自局の電話番号と一致する音素情報を用いて音声合成するようにしたが、音声読み上げに用いる音素情報を選択可能として、音素情報内部記憶部１２と可搬形音素情報外部記憶部１３Ｘに記憶された内、ユーザの選択した音素情報を用いて音声合成するようにしても良い。
【００５３】
図１４は本発明の第２の実施の形態に係る音声合成システムの構成図であり、図１、図１３と同じ構成部分には同一の符号が付してある。
図１４では図１、図１３と同様の携帯電話１００Ｘ（Ｘ＝Ａ、Ｂ、・・）を用いて可搬形音素情報外部記憶部１３Ｘに登録した音素情報を音声合成装置２００で所望メッセージ文の音声読み上げに用いるようにしてある。
図１４において、音声合成装置２００の内、２１２はＮ人分の音素情報を、話者識別情報としての電話番号と対応付けて記憶可能な音素情報内部記憶部であり、Ｎ個の記憶領域ＰＢ1 〜ＰＢN に分かれ（図３参照）、各記憶領域ＰＢi には、話者識別情報としての電話番号と音素別の特徴パラメータを対応付けて記憶可能である。
【００５４】
１５は可搬形音素情報外部記憶部１３のオスコネクタ１４と着脱自在に接続可能なメスコネクタであり、後述するコントロール部と接続されている。２１６は文字情報記憶部であり、Ｖ個の記憶領域ＱＢ1 〜ＱＢV に分かれ、各記憶領域ＱＢj には１つのメッセージ文（文字列）を記憶可能である。１７は音声読み上げ部であり、文字情報記憶部２１６の内、ユーザ所望のメッセージについて、音素情報内部記憶部２１２に記憶された内、ユーザ所望の音素情報を用いて、音声合成によりメッセージ文のディジタル読み上げ音声信号を作成して出力する。この音声読み上げ部１７は図６と全く同一の構成を有する。
【００５５】
１９はディジタル読み上げ音声信号をアナログ音声信号に変換するＤ／Ａ変換部、２０はＤ／Ａ変換部１９の出力を電力増幅するアンプ部、２１は外部に設けられてアンプ部２０の出力で駆動される拡声スピーカである。２２２は表示部であり、ユーザの選択した所望メッセージや話者識別情報（ここでは電話番号）を表示したり、ユーザの文字入力したメッセージ文を表示したりする。２２３は操作部であり、所望メッセージや話者識別情報の選択操作、メッセージ文の文字入力操作などを行う。
【００５６】
２２４はマイコン構成のコントロール部であり、操作部２２３の操作に従い各部を制御し、メッセージ文の作成処理、各種表示処理を行うほか、可搬形音素情報外部記憶部１３から音素情報内部記憶部２１２への音素情報の転送処理を行うほか、ユーザが音声読み上げ用に選択した任意のメッセージ文につき、音素情報内部記憶部２１２または可搬形音素情報外部記憶部１３の内、ユーザの選択した話者識別番号に対応する音素情報を用いて音声読み上げ部１７により、所望メッセージ文のディジタル読み上げ音声信号を生成させる。
図１４の携帯電話１００Ａ、１００Ｂ、可搬形音素情報外部記憶部１３、１３Ａ、可搬形音素情報外部記憶部１３Ｂは図１、図１３と同様に構成されている。
【００５７】
図１５はコントロール部２２４の制御処理を示すフローチャートであり、以下、これらの図を参照して図１４の音声合成システムの動作を説明する。
（１）音素情報の転送
ユーザＡが自身の声の音素情報を音声合成装置２００に組み込んでおきたい場合、携帯電話１００Ａで自身の声の音素情報と話者識別情報を登録した可搬形音素情報外部記憶部１３Ａを音声合成装置２００のメスコネクタ１５に装着して接続し、操作部２２３で可搬形音素情報外部記憶部１３Ａから音素情報内部記憶部２１２への転送指示操作をする。すると、コントロール部２２４は、可搬形音素情報外部記憶部１３Ａに記憶された音素情報と電話番号を読み出し、音素情報内部記憶部２１２の内、同一の電話番号が登録された記憶領域ＰＢi が存在するときは、可搬形音素情報外部記憶部１３Ａから読み出した音素情報を上書きし、同一の電話番号が登録された記憶領域ＰＢi が存在しないときは、空きの記憶領域へ電話番号と音素情報を対応付けて書き込む（図１５のステップＳ１００、Ｓ１０１）。
【００５８】
同様に、ユーザＢが自身の声の音素情報を音声合成装置２００に組み込んでおきたい場合、携帯電話１００Ｂで自身の声の音素情報と話者識別情報を登録した可搬形音素情報記憶部１３Ｂを音声合成装置２００のメスコネクタ１５に装着して接続し、操作部２２３で可搬形音素情報外部記憶部１３Ｂから音素情報内部記憶部２１２への転送指示操作をする。すると、コントロール部２２４は、可搬形音素情報外部記憶部１３Ｂの音素情報を電話番号とともに読み出し、音素情報内部記憶部２１２の内、同一の電話番号が登録された記憶領域ＰＢi が存在するときは、可搬形音素情報外部記憶部１３Ｂから読み出した音素情報を上書きし、同一の電話番号が登録された記憶領域ＰＢi が存在しないときは、空きの記憶領域へ電話番号と音素情報を対応付けて書き込む（図１５のステップＳ１００、Ｓ１０１）。
【００５９】
（２）メッセージ文の入力と読み上げ
以下では、ユーザＡとＢの音素情報が話者識別情報としての電話番号と対応付けて音素情報内部記憶部２１２の中に記憶済であるとする。可搬形音素情報外部記憶部１３Ｘは音声合成装置２００から外してあっても良い。
ユーザＡ（Ｂ）が高齢、風邪等で声を出しにくくなったときに、音声合成装置２００で近くの人に自身の声でメッセージを伝えたい場合、予め、操作部２２３で所望メッセージ文の文字入力をしておく。コントロール部２２４は文字入力されたメッセージ文を文字情報記憶部２１６の空きの記憶領域ＱＢi （空きがないときは一番古いメッセージ文の記憶された記憶領域ＱＢi ）に記憶させる（図１５のステップＳ１０２、Ｓ１０３）。
以下では、文字情報記憶部２１６の記憶領域ＱＢ1 、ＱＢ2 ・・に既に「新聞をとって下さい」、「犬を散歩に連れていって下さい」、・・・などの多数のメッセージ文が記憶済であるとする。
【００６０】
ユーザＡ（Ｂ）が近くに居る人に「新聞をとって下さい」と伝えたい場合、操作部２２３で所望メッセージの選択操作をする。すると、コントロール部２２４は、文字情報記憶部２１６の内、所望メッセージを表示部２２２に表示させる（ステップＳ１０４、Ｓ１０５）。ここで、クリア操作をすると、メッセージ表示を消し、待ち受け状態に戻るが（ステップＳ１０６、Ｓ１０７）、音声読み上げの指示操作をすると、音素情報の話者の選択操作待ちとなり（ステップＳ１０８、Ｓ１０９）、ここでユーザＡ（Ｂ）の話者識別情報である携帯電話１００Ａ（１００Ｂ）の電話番号の入力操作をすると、コントロール部２２４は、音素情報内部記憶部２１２の中にユーザＡ（Ｂ）の電話番号に対応付けて登録された音素情報が存在するかチェックする（ステップＳ１１０）。ＮＯであれば、可搬形音素情報外部記憶部１３Ｘ（Ｘ＝Ａ、Ｂ、・・）が接続されているかチェックし（ステップＳ１１１）、ＹＥＳであればユーザＡ（Ｂ）の電話番号の登録された音素情報が存在するかチェックする（ステップＳ１１２）。ステップＳ１１０とＳ１１２のいずれかでＹＥＳであれば、音声読み上げ部１７を制御し、文字情報記憶部２１６の内の所望メッセージについて、音素情報内部記憶部２１２（または音素情報外部記憶部１３Ｘ）の内、携帯電話１００Ａの電話番号に対応付けて登録された音素情報を用いて、音声合成によりディジタル読み上げ音声信号を生成して出力させる。ディジタル読み上げ音声信号はＤ／Ａ変換部１９へ出力され、拡声スピーカ２１から音声出力される（ステップＳ１１３）。
これにより、ユーザＡ（Ｂ）は声が出にくくても、人に自分の声で所望のメッセージを伝えることができる。
【００６１】
なお、音素情報の選択操作で他の人の電話番号の入力操作をすれば、ユーザＡ（Ｂ）が例えばユーザＢ（Ａ）の声で「新聞をとって下さい」と伝えることもできる。
【００６２】
この実施の形態によれば、事前にユーザＸが携帯電話１００Ｘを用いて音素情報を登録した可搬形音素情報外部記憶部１３Ｘを音声合成装置２００に装着し、音声合成装置２００の中に転送してユーザＸの音素情報を組み込んでおくか、可搬形音素情報外部記憶部１３Ｘを音声合成装置２００に装着して接続したままで、声の出しにくい或るユーザＹが操作部２２３で所望のメッセージ文を選択するとともに所望の話者Ｚの音素情報を選択して音声読み上げを指示すると、音素情報内部記憶部２１２または可搬形音素情報外部記憶部１３Ｘに記憶された話者Ｚの音素情報を用いて音声合成により所望メッセージ文の読み上げ音声信号が生成され、拡声スピーカ２１から音響出力されるので、話者Ｚの音声により所望のメッセージ文を伝言できる。
なお、図１４の例において、拡声スピーカ２１は音声合成装置２００の中に内蔵しても良い。
【００６３】
図１６は本発明の第３の実施の形態に係る音素情報登録・音声合成装置の構成図であり、図１と同じ構成部分には同一の符号が付してある。
３００は音素情報登録・音声合成装置であり、ここでは一例として図１に示す携帯電話１００の送信電波を受信し、携帯電話１００で通話中のユーザの送話音声信号を取り出し、音声分析により音素別の特徴パラメータを検出し、音素情報内部記憶部や可搬形音素情報外部記憶部に登録したり、音素情報内部記憶部や可搬形音素情報外部記憶部に登録された音素別の特徴パラメータを用いて、音声合成により所望のメッセージ文の音声出力を行う。
【００６４】
音素情報登録・音声合成装置３００の内、３０１は受信用のアンテナ、３０２は無線部（ＲＦ部）であり、待機状態では無線基地局から発射された待ち受け用の制御チャネルのＴＤＭＡ信号波の低雑音増幅、周波数変換、ディジタル復調を行って受信ディジタルベースバンド信号をベースバンド信号処理部へ出力し、音素情報登録・音声合成装置３００と対を成す或る携帯電話１００宛の通話着信があると、無線基地局が指定した通話チャネル（上り）のＴＤＭＡ信号波の低雑音増幅、周波数変換、ディジタル復調を行って受信ディジタルベースバンド信号をベースバンド信号処理部へ出力する。３０３はベースバンド信号処理部であり、ＴＤＭＡ方式に従って受信ディジタルベースバンド信号から制御チャネルのデータや通話チャネルのデータを抽出し、制御チャネルの制御データはコントロール部へ出力し、通話チャネルの高能率符号化送話音声信号の場合には復号してディジタル送話音声信号に変換して出力する。
【００６５】
１１は音素情報自動登録モードがオン状態での通話時、ディジタル送話音声信号を入力し、音声分析を行って音素別の特徴パラメータを抽出して出力する音声分析部である。この音声分析部１１は図２と全く同一の構成を有する。
【００６６】
１２は音素情報内部記憶部であり、複数人分の音素情報を、話者識別情報としての電話番号と対応付けて記憶可能である（図３参照）。１３は１人分の音素情報を話者識別情報としての電話番号と対応付けて記憶可能な可搬形音素情報外部記憶部である（図４参照）。１５は可搬形音素情報外部記憶部１３のオスコネクタ１４と着脱自在に接続可能なメスコネクタであり、後述するコントロール部と接続されている。３１６は文字情報記憶部であり、Ｖ個の記憶領域ＱＢ1 〜ＱＢV に分かれ、各記憶領域ＱＢv には１つのメッセージ文（文字列）を記憶可能である。１７は音声読み上げ部であり、文字情報記憶部３１６の内、ユーザ所望のメッセージについて、音素情報内部記憶部１２に記憶された内、ユーザ所望の話者の音素情報を用いて、音声合成によりメッセージ文のディジタル読み上げ音声信号を作成して出力する（図５参照）。
【００６７】
１９はディジタル読み上げ音声信号をアナログ音声信号に変換するＤ／Ａ変換部、２０はＤ／Ａ変換部１９の出力を電力増幅するアンプ部、２１は外部に設けられてアンプ部２０の出力で駆動される拡声スピーカである。３２２は表示部であり、ユーザの選択した所望メッセージや話者識別情報（ここでは電話番号）を表示したり、ユーザの文字入力したメッセージ文を表示したりする。３２３は操作部であり、音素情報自動登録モードのオン／オフ操作、メッセージ文の文字入力操作、所望メッセージの選択操作、所望メッセージの音声読み上げの指示操作及び音声読み上げに用いる音素情報の選択操作、可搬形音素情報外部記憶部１３から音素情報内部記憶部１２の第２記憶領域ＰＢへの音素情報の転送指示操作（第２転送指示操作）、音素情報内部記憶部１２の第１記憶領域ＰＡから可搬形音素情報外部記憶部１３への音素情報の転送指示操作（第１転送指示操作）などを行う。
【００６８】
３２４はマイコン構成のコントロール部であり、操作部３２３の操作に従い各部を制御し、メッセージ文の作成処理、各種表示処理を行うほか、可搬形音素情報外部記憶部１３から音素情報内部記憶部１２への音素情報の転送処理をしたり、音素情報内部記憶部１２から可搬形音素情報外部記憶部１３への音素情報の転送処理をしたり、ユーザが音声読み上げ用に選択した任意のメッセージ文につき、音素情報内部記憶部１２または可搬形音素情報外部記憶部１３の内、ユーザの選択した話者識別番号に対応する音素情報を用いて音声読み上げ部１７により、所望メッセージのディジタル読み上げ音声信号を生成させる。
【００６９】
図１７〜図２０はコントロール部３２４の制御処理を示すフローチャート、図２１は音素情報登録・音声合成装置間での音素情報の交換方法の説明図であり、以下、これらの図を参照して図１６の音素情報登録・音声合成装置の動作を説明する。
図２１に示す如く、ユーザＡの近くに携帯電話１００Ａ（電話番号０９０−△△××−○○×△）と対で使用する音素情報登録・音声合成装置３００Ａが設置されており、ユーザＢの近くに携帯電話１００Ｂ（電話番号０９０−□□○×−○○□○）と対で使用する音素情報登録・音声合成装置３００Ｂが設置されているものとする。音素情報登録・音声合成装置３００Ａは図１６と同様に構成されており、コントロール部３２４の内蔵メモリ（図示せず）には、携帯電話１００Ａの電話番号が登録されているものとする。音素情報登録・音声合成装置３００Ｂも図１６と同様に構成されており、コントロール部３２４の内蔵メモリ（図示せず）には、携帯電話１００Ｂの電話番号が登録されているものとする。音素情報登録・音声合成装置３００Ａ、３００Ｂには各々、可搬形音素情報外部記憶部１３Ａ、１３Ｂが付属する。ここでは、携帯電話１００Ａと音素情報登録・音声合成装置３００Ａと可搬形音素情報外部記憶部１３Ａを中心にして説明する。
【００７０】
なお、音素情報登録・音声合成装置３００Ａは音素情報自動登録モードがオフしているものとし、コントロール部３２４の内蔵メモリに記憶された音素情報自動登録モードフラグＳＦは０になっているものとする。
【００７１】
（１）着信通話時の音素情報の登録
電源オンで、コントロール部３２４は音素情報自動登録モードがオンしているかチェックし、ＮＯであれば、操作部３２３での操作を待つ（図１７のステップＳ２００）。
ユーザＡが携帯電話１００Ａで通話をしている間の自分の音声の音素情報を音素情報登録・音声合成装置３００Ａの音素情報内部記憶部１２と可搬形音素情報外部記憶部１３Ａに登録したい場合、可搬形音素情報外部記憶部１３Ａのオスコネクタ１４を音素情報登録・音声合成装置３００Ａのメスコネクタ１５に結合して接続しておく。ここでは、音素情報内部記憶部１２と可搬形音素情報外部記憶部１３Ａの記憶内容は空であるとする。操作部３２３で音素情報自動登録モードのオン操作をすると、コントロール部３２４は内蔵メモリの音素情報自動登録モードフラグＳＦを１とし、音素情報自動登録モードをオンする（図１９のステップＳ２４０、Ｓ２４１）。
【００７２】
音素情報自動登録モードがオンになると、コントロール部３２４は無線部３０２とベースバンド信号処理部３０３を制御し、無線部３０２により携帯電話１００Ａが待ち受けを行っている所定の制御チャネル（無線基地局から携帯電話１００Ａへの下り）のＴＤＭＡ信号を受信させて受信ディジタルベースバンド信号を出力させ、ベースバンド信号処理部３０３により待ち受け用の制御チャネルの制御データを抽出させてコントロール部３２４へ出力させる（図１７のステップＳ２００でＹＥＳ、Ｓ２０１）。
【００７３】
コントロール部３２４は、制御データに基づき無線基地局から携帯電話１００Ａ宛の通話着信があったかチェックする（ステップＳ２０２）。ＹＥＳであれば、携帯電話１００Ａからの着信第１応答を受け付けた無線基地局側は、空きの通話チャネルの指定をするので、コントロール部３２４は一定時間内に携帯電話１００Ａに対する通話チャネルの指定がされたかチェックし（ステップＳ２０３）、ここでもＹＥＳであれば、無線部３０２とベースバンド信号処理部３０３を制御し、無線部３０２により無線基地局から指定された通話チャネル（携帯電話１００Ａから無線基地局への上り）のＴＤＭＡ信号を受信させて受信ディジタルベースバンド信号を出力させ、ベースバンド信号処理部３０３により通話チャネルに付随する付随制御チャネルの制御データを抽出させてコントロール部３２４へ出力させる（ステップＳ２０４）。
【００７４】
コントロール部３２４は制御データから、ステップＳ２０４のあと一定時間内に携帯電話１００Ａでのオフフックに伴い送信される着信第２応答が受信されたかチェックし（ステップＳ２０５）、ＹＥＳであれば携帯電話１００Ａで通話が開始したと判断し、ベースバンド信号処理部３０３を制御し、上りの情報チャネルでの情報データに含まれる高能率符号化送話音声信号の復号をさせて、携帯電話１００Ａから送信されたディジタル送話音声信号の出力を開始させる（ステップＳ２０６）。そして、まず、音素情報内部記憶部１２の第１記憶領域ＰＡに自局の電話番号０９０−△△××−○○×△が登録されているかチェックし（ステップＳ２０７）、ＮＯなので、第１記憶領域ＰＡをクリアし、自局の電話番号を話者識別情報として記憶させる（ステップＳ２０８）。次に、可搬形音素情報外部記憶部が接続されているかチェックし（図１８のステップＳ２３０）、１３Ａが接続されていてＹＥＳなので可搬形音素情報外部記憶部１３Ａの中に自局の電話番号が登録されているかチェックし（ステップＳ２３１）、ここでもＮＯなので、可搬形音素情報外部記憶部１３Ａをクリアし、自局の電話番号０９０−△△××−○○×△を話者識別情報として記憶させる（ステップＳ２３２）。
【００７５】
続いて、音声分析部１１に対し音声分析開始制御をする。音声分析部１１は音声分析を開始すると、ベースバンド信号処理部３０３から出力されたディジタル送話音声信号に対し、音素毎に切り出しを行い、切り出された各音素毎のディジタル送話音声信号に対し、特徴パラメータを抽出するとともに音素毎の特徴パラメータから音素の種類を判別し、音素毎に特徴パラメータと音素の種類を対応付けた音素情報（音素別の特徴パラメータ）をコントロール部３２４へ出力する。コントロール部３２４は、音素別の特徴パラメータを音素情報内部記憶部１２の第１領域ＰＡと可搬形音素情報外部記憶部１３Ａに、音素の種類と特徴パラメータを対応付けて書き込んでいく（ステップＳ２３３）。但し、記憶領域ＰＡと可搬形音素情報外部記憶部１３Ａの中に同じ音素についての特徴パラメータが書き込み済であるときは、上書きする。
【００７６】
その後、ユーザＡまたは相手側がオンフック操作をして終話になり、ベースバンド信号処理部３０３から通話チャネルに付随した付随制御チャネルの制御データが入力されなくなると、コントロール部３２４は終話したと判断し、音声分析部１１に対し音声分析終了制御をして音声分析を終了させる（ステップＳ２３４、Ｓ２３５）。
なお、若し、可搬形音素情報外部記憶部１３Ａが接続されていなかった場合はコントロール部３２４は音素別の特徴パラメータを音素情報内部記憶部１２にだけ書き込んでいく（ステップＳ２３０でＮＯ、Ｓ２３６）。その後、ユーザＡまたは相手側がオンフック操作をして終話になり、ベースバンド信号処理部３０３から通話チャネルに付随した付随制御チャネルのデータが入力されなくなると、コントロール部３２４は終話したと判断し、音声分析部１１に対し音声分析終了制御をして音声分析を終了させる（ステップＳ２３７、Ｓ２３５）。
【００７７】
（２）発信通話時の音素情報の登録
これと異なり、音素情報自動登録モードオン状態での待ち受け中に、ユーザＡが携帯電話１００Ａで通話発信操作をすると、無線基地局側が空きの通話チャネルの指定をする。コントロール部３２４は待ち受け中、ベースバンド信号処理部３０３から入力する制御データに基づき携帯電話１００Ａに対する通話チャネルの指定がされたかチェックしており（ステップＳ２０９）、ＹＥＳになると、無線部３０２とベースバンド信号処理部３０３を制御し、無線部３０２により無線基地局から指定された情報チャネル（無線基地局から携帯電話１００Ａへの下り）のＴＤＭＡ信号を受信させて受信ディジタルベースバンド信号を出力させ、ベースバンド信号処理部３０３により通話チャネルに付随する付随制御チャネルの制御データを抽出させてコントロール部３２４へ出力させる（ステップＳ２１０）。
【００７８】
コントロール部３２４は、ステップＳ２１０のあと、制御データをチェックして一定時間内に無線基地局から携帯電話１００Ａ宛の接続信号が送信されたかチェックする（ステップＳ２１１）。携帯電話１００Ａから通話発信した相手側が一定時間内にオフフックすると、無線基地局から携帯電話１００Ａ宛の接続信号が送信されるので、コントロール部３２４はステップＳ２１１でＹＥＳと判断し、今度は無線部３０２とベースバンド信号処理部３０３を制御し、無線基地局から指定された通話チャネルの上りを受信させる（ステップＳ２１２）。そして、ベースバンド信号処理部３０３を制御し、上りの通話チャネルでの情報データに含まれる高能率符号化送話音声信号の復号をさせて、携帯電話１００Ａから送信されたディジタル送話音声信号の出力を開始させる（ステップＳ２０６）。あとは、着信通話時と同様にして、ユーザＡの音声の分析をし、音素情報内部記憶部１２と可搬形音素情報外部記憶部１３Ａ（または音素情報内部記憶部１２）に登録させていく（ステップＳ２０７、Ｓ２０８、図１８のステップＳ２３０〜Ｓ２３５または、ステップＳ２３０、Ｓ２３６、Ｓ２３７）。
【００７９】
（３）音素情報の転送
音素情報内部記憶部１２だけに登録していたときは、可搬形音素情報外部記憶部１３Ａを装着して接続し、操作部３２３で音素情報内部記憶部１２から音素情報の可搬形音素情報外部記憶部１３Ａへの転送指示操作（第１転送指示操作）をする。コントロール部３２４は音素情報内部記憶部１２の内、第１記憶領域ＰＡに記憶された音素情報と対応する電話番号を読み出し、可搬形音素情報外部記憶部１３Ａの中に記憶させる（図１９のステップＳ２４４、Ｓ２４５）。
この可搬形音素情報外部記憶部１３ＡをユーザＢに貸し、図２１の携帯電話１００Ｂの中に音素情報と話者識別情報を取り込ませれば、ユーザＡから受信したメールの音声読み上げができ、図１４の音声合成装置２００の中に取り込ませれば、ユーザＡの声による所望メッセージ文の音声出力ができる。
【００８０】
携帯電話１００ＡをユーザＡ以外の者に使わせたいときは、音素情報登録・音声合成装置３００Ａの操作部３２３で音素情報自動登録モードのオフ操作をする。すると、コントロール部３２４は音素情報自動登録モードをオフするので（図１９のステップＳ２４２、Ｓ２４３）、通話が開始しても送話音声の音素情報の登録処理はされない（図１７のステップＳ２００でＮＯ）。
【００８１】
（４）音素情報の交換
ユーザＢも音素情報登録・音声合成装置３００Ｂの近くで携帯電話１００Ｂで通話することで、自身の声の音素別の特徴パラメータを音素情報登録・音声合成装置３００Ｂの音素情報内部記憶部１２や可搬形音素情報外部記憶部１３Ｂに記憶させることができる。音素情報内部記憶部１２だけに登録していたときは、可搬形音素情報外部記憶部１３Ｂを装着し、操作部３２３で音素情報内部記憶部１２からの自身の音素情報の可搬形音素情報外部記憶部１３Ｂへの転送指示操作（第１転送指示操作）をする。コントロール部３２４は音素情報内部記憶部１２の内、第１記憶領域ＰＡに記憶された音素情報と対応する電話番号を読み出し、可搬形音素情報外部記憶部１３Ｂの中に記憶させる。
【００８２】
ユーザＡが所望メッセージを、ユーザＢの音声で読み上げさせたい場合、事前にユーザＢから該ユーザＢの音素情報と話者電話番号が登録された可搬形音素情報外部記憶部１３Ｂを借り、音素情報登録・音声合成装置３００Ａに装着して接続した状態で、ユーザＢの音素情報によるメッセージの音声読み上げを指示するか、または、事前にユーザＢの音素情報と話者電話番号が登録された可搬形音素情報外部記憶部１３Ｂを一時的に音素情報登録・音声合成装置３００Ａに装着して接続し、該可搬形音素情報外部記憶部１３Ｂの記憶内容を音素情報登録・音声合成装置３００Ａに転送させておき（このあと可搬形音素情報外部記憶部１３Ｂは外してユーザＢに返して良い）、ユーザＢの音素情報によるメッセージの音声読み上げを指示する。
【００８３】
可搬形音素情報外部記憶部１３Ｂから音素情報登録・音声合成装置３００Ａへの音素情報と話者電話番号の転送の仕方は次の通りである。可搬形音素情報外部記憶部１３Ｂを音素情報登録・音声合成装置３００Ａのメスコネクタ１５に装着して接続し、操作部３２３で可搬形音素情報外部記憶部１３Ｂから音素情報内部記憶部１２への転送指示操作（第２転送指示操作）をする。すると、コントロール部３２４は、可搬形音素情報外部記憶部１３Ｂの音素情報を電話番号とともに読み出し、音素情報内部記憶部１２の第２記憶領域ＰＢの内、同一の電話番号が登録された記憶領域ＰＢi が存在するときは、記憶領域ＰＢi の音素情報をクリアしたのち、可搬形音素情報外部記憶部１３Ｂから読み出した音素情報を記憶領域ＰＢi に書き込み、同一の電話番号が登録された記憶領域ＰＢi が存在しないときは、空きの記憶領域へ電話番号と音素情報を対応付けて書き込む（図１９のステップＳ２４６、Ｓ２４７）。
反対に、ユーザＢが所望メッセージを、ユーザＡの音声で読み上げさせたい場合、事前にユーザＡから該ユーザＡの音素情報が登録された可搬形音素情報外部記憶部１３Ａを借り、同様の操作で音素情報登録・音声合成装置３００Ｂの中にユーザＡの音素情報を転送させておく。
【００８４】
（５）メッセージ文の入力と読み上げ
以下では、ユーザＡとＢの音素情報が話者識別情報としての電話番号と対応付けて音素情報登録・音声合成装置３００Ａの音素情報内部記憶部１２の中に記憶済であるとする。可搬形音素情報外部記憶部１３Ｘは音素情報登録・音声合成装置３００Ａから外してあっても良い。
ユーザＡ（Ｂ）が高齢、風邪等で声を出しにくくなったときに、音素情報登録・音声合成装置３００Ａで近くの人に自身の声でメッセージを伝えたい場合、予め、操作部３２３で所望メッセージ文の文字入力をしておく。コントロール部３２４は文字入力されたメッセージ文を文字情報記憶部３１６の空きの記憶領域ＱＢi （空きがないときは一番古いメッセージ文の記憶された記憶領域ＱＢi ）に記憶させる（図２０のステップＳ２８０、Ｓ２８１）。
以下では、文字情報記憶部３１６の記憶領域ＱＢ1 、ＱＢ2 ・・に既に「新聞をとって下さい」、「犬を散歩に連れていって下さい」、・・・などの多数のメッセージ文が記憶済であるとする。
【００８５】
ユーザＡ（Ｂ）が近くに居る人に「新聞をとって下さい」と伝えたい場合、操作部３２３で所望メッセージの選択操作をする。すると、コントロール部３２４は、文字情報記憶部３１６の内、所望メッセージを表示部３２２に表示させる（ステップＳ２８２、Ｓ２８３）。ここで、クリア操作をすると、メッセージ表示を消し、待ち受け状態に戻るが（ステップＳ２８４、Ｓ２８５）、音声読み上げの指示操作をすると、音素情報の話者の選択操作待ちとなり（ステップＳ２８６、Ｓ２８７）、ここでユーザＡ（Ｂ）の話者識別情報である携帯電話１００Ａ（１００Ｂ）の電話番号の入力操作をすると、コントロール部３２４は、音素情報内部記憶部１２の中にユーザＡ（Ｂ）の電話番号に対応付けて登録された音素情報が存在するかチェックする（ステップＳ２８８）。ＮＯであれば、可搬形音素情報外部記憶部１３Ｘ（Ｘ＝Ａ、Ｂ、・・）が接続されているかチェックし（ステップＳ２８９）、ＹＥＳであればユーザＡ（Ｂ）の電話番号の登録された音素情報が存在するかチェックする（ステップＳ２９０）。ステップＳ２８８とＳ２９０のいずれかでＹＥＳであれば、音声読み上げ部１７を制御し、文字情報記憶部３１６の内の所望メッセージについて、音素情報内部記憶部１２（または音素情報外部記憶部１３Ｘ）の内、携帯電話１００Ａの電話番号に対応付けて登録された音素情報を用いて、音声合成によりディジタル読み上げ音声信号を生成して出力させる。ディジタル読み上げ音声信号はＤ／Ａ変換部１９へ出力され、拡声スピーカ２１から音声出力される（ステップＳ２９１）。
これにより、ユーザＡ（Ｂ）は声が出にくくても、人に自分の声で所望のメッセージを伝えることができる。
【００８６】
なお、音素情報の選択操作で他の人の電話番号の入力操作をすれば、ユーザＡ（Ｂ）が例えばユーザＢ（Ａ）の声で「新聞をとって下さい」と伝えることもできる。
【００８７】
この実施の形態によれば、携帯電話１００ＡのユーザＡが音素情報登録・合成装置３００Ａの操作部３２３で音素情報自動登録モードをオンにしておくと、携帯電話１００ＡのユーザＡが通話をしている間に、音素情報登録・合成装置３００Ａで携帯電話１００Ａの送話者の音声信号に基づき音素別の特徴パラメータが分析され、音素情報内部記憶部１２（音素情報外部記憶部１３Ａが装着されているときは音素情報内部記憶部１２と音素情報外部記憶部１３Ａ）に自動的に記憶される。よって、ユーザＡは音素情報の登録のために何ら特別な作業をしなくても、自身の声の音素別の特徴パラメータを音素情報内部記憶部１２（音素情報外部記憶部１３Ａが装着されているときは音素情報内部記憶部１２と音素情報外部記憶部１３Ａ）に登録させることができる。若し、通話時に音素情報外部記憶部１３Ａを装着していなくても、後から音素情報内部記憶部１２から音素情報外部記憶部１３Ａへ転送することもでき、利便性が高い。音素情報には、話者識別情報としての携帯電話１００Ａの電話番号が自動的に対応付けて登録されるので、音素情報を利用する側の音声合成機能付き機器では誰の音素情報であるか容易に判る。
【００８８】
また、他の携帯電話１００ＢのユーザＢが対応する音素情報登録・合成装置３００ＢでユーザＡの音素情報を登録させた音素情報外部記憶部１３Ｂを音素情報登録・合成装置３００Ａに装着して接続し、当該音素情報外部記憶部１３Ｂから音素情報と対応する個人識別情報を読み出し、音素情報内部記憶部１２に転送することもできる。
そして、声の出しにくい或るユーザＹが操作部３２３で所望のメッセージ文を選択するとともに所望の話者Ｚの音素情報を選択して音声読み上げを指示すると、音素情報内部記憶部１２または可搬形音素情報外部記憶部１３Ｘに記憶された話者Ｚの音素情報を用いて音声合成により所望メッセージ文の読み上げ音声信号が生成され、拡声スピーカ２１から音響出力されるので、話者Ｚの音声により所望のメッセージ文を伝言できる。
なお、図１６の例において、拡声スピーカ２１は音素情報登録・合成装置３００の中に内蔵しても良い。
【００８９】
【発明の効果】
本発明によれば、ユーザが電話で通話をしている間に、当該電話（または音素情報登録装置或いは音素情報登録・音声合成装置）により、ユーザの音声信号に基づき音素別の特徴パラメータが分析され、当該電話（または音素情報登録装置或いは音素情報登録・音声合成装置）に装備された音素情報記憶手段または、当該電話（または音素情報登録装置或いは音素情報登録・音声合成装置）に接続された音素情報外部記憶手段に自動的に記憶される。このため、ユーザは音素情報の登録のために何ら特別な作業をしなくても、自身の声の音素別の特徴パラメータを登録させることができ、当該電話（または音素情報登録装置或いは音素情報登録・音声合成装置）が音声合成機能を有するとき、音素情報記憶手段または音素情報外部記憶手段に記憶されたユーザの音素情報に基づきメッセージ文等の所望の文字情報を、音声合成によりユーザの音声で読み上げさせることも簡単にできる。
【００９０】
電話（または音素情報登録装置或いは音素情報登録・音声合成装置）に装備された音素情報記憶手段に登録された音素別の特徴パラメータを、後から音素情報外部記憶手段に転送することもでき、他のユーザの音素別の特徴パラメータが記憶された音素情報外部記憶手段を音声合成機能を有する電話または音声合成装置に接続し、音素情報外部記憶手段に記憶された当該他のユーザの音素別の特徴パラメータをそのまま用いるか、または、音声合成機能を有する電話または音声合成装置に装備された音素情報記憶手段に音素情報外部記憶手段から当該他のユーザの音素別の特徴パラメータを転送することで、メール、メッセージ文等の所望の文字情報を、音声合成により当該他のユーザの音声で読み上げさせることも簡単にできる。
【図面の簡単な説明】
【図１】本発明の第１の実施の形態に係る携帯電話の構成を示すブロック図である。
【図２】図１中の音声分析部の具体的構成を示すブロック図である。
【図３】図１中の音素情報内部記憶部の記憶内容の説明図である。
【図４】図１中の可搬形音素情報外部記憶部の記憶内容の説明図である。
【図５】図１中の文字情報記憶部の記憶内容の説明図である。
【図６】図１中の音声読み上げ部の具体的構成を示すブロック図である。
【図７】図１中のコントロール部の制御処理を示すフローチャートである。
【図８】図１中のコントロール部の制御処理を示すフローチャートである。
【図９】図１中のコントロール部の制御処理を示すフローチャートである。
【図１０】図１中のコントロール部の制御処理を示すフローチャートである。
【図１１】図１中のコントロール部の制御処理を示すフローチャートである。
【図１２】図１中のコントロール部の制御処理を示すフローチャートである。
【図１３】第１の実施の形態の携帯電話間での音素情報の交換方法の説明図である。
【図１４】本発明の第２の実施の形態に係る音声合成システムの構成を示すブロック図である。
【図１５】図１４中のコントロール部の制御処理を示すフローチャートである。
【図１６】本発明の第３の実施の形態に係る音素情報登録・音声合成装置の構成を示すブロック図である。
【図１７】図１６中のコントロール部の制御処理を示すフローチャートである。
【図１８】図１６中のコントロール部の制御処理を示すフローチャートである。
【図１９】図１６中のコントロール部の制御処理を示すフローチャートである。
【図２０】図１６中のコントロール部の制御処理を示すフローチャートである。
【図２１】第３の実施の形態の音素情報登録・音声合成装置の使用方法の説明図である。
【符号の説明】
１、３０１  アンテナ              ２、３０２  ＲＦ部
３、３０３  ベースバンド信号処理部
８  送話マイク                    １１  音声分析部
１２、２１２  音素情報内部記憶部
１３、１３Ａ、１３Ｂ  可搬形音素情報外部記憶部
１６、２１６、３１６  文字情報記憶部
１７  音声読み上げ部              ２１  拡声スピーカ
２３、２２３、３２３  操作部      ２４、２２４、３２４  コントロール部
１００、１００Ａ、１００Ｂ  携帯電話
２００、２００Ａ、２００Ｂ  音声合成装置
３００、３００Ａ、３００Ｂ  音素情報登録・音声合成装置
【図１】
0003997278.tif 000002
【図２】
0003997278.tif 000003
【図３】
0003997278.tif 000004
【図４】
0003997278.tif 000005
【図５】
0003997278.tif 000006
【図６】
0003997278.tif 000007
【図７】
0003997278.tif 000008
【図８】
0003997278.tif 000009
【図９】
0003997278.tif 000010
【図１０】
0003997278.tif 000011
【図１１】
0003997278.tif 000012
【図１２】
0003997278.tif 000013
【図１３】
0003997278.tif 000014
【図１４】
0003997278.tif 000015
【図１５】
0003997278.tif 000016
【図１６】
0003997278.tif 000017
【図１７】
0003997278.tif 000018
【図１８】
0003997278.tif 000019
【図１９】
0003997278.tif 000020
【図２０】
0003997278.tif 000021
【図２１】
0003997278.tif 000022